(57)【要約】  本開示は、ＰＵＳＣＨ伝送方法、受信方法、端末および基地局を提供する。当該方法において、少なくとも、目標ＰＵＳＣＨにＨＡＲＱ−ＡＣＫ情報が存在するか否かを指示するためのＨＡＲＱ−ＡＣＫ指示情報を決定することと、目標ＰＵＳＣＨで指示情報を伝送することとを含む。本開示の実施例において、端末は、少なくとも目標ＰＵＳＣＨにＨＡＲＱ−ＡＣＫ情報が存在するか否かを指示するためのＨＡＲＱ−ＡＣＫ指示情報を、ＰＵＳＣＨで追加伝送する。【選択図】  図１
2021506163.tif 000002
【特許請求の範囲】
【請求項１】
ＰＵＳＣＨ（Ｐｈｙｓｉｃａｌ  Ｕｐｌｉｎｋ  Ｓｈａｒｅｄ  Ｃｈａｎｎｅｌ）伝送方法において、
少なくとも、ＨＡＲＱ−ＡＣＫ（Ｈｙｂｒｉｄ  Ａｕｔｏｍａｔｉｃ  Ｒｅｐｅａｔ  ｒｅＱｕｅｓｔ  ＡＣＫｎｏｗｌｅｇｅｍｅｎｔ）情報が目標ＰＵＳＣＨに存在するか否かを指示するためのＨＡＲＱ−ＡＣＫ指示情報を決定することと、
前記目標ＰＵＳＣＨで前記指示情報を伝送することと、
を含む、ＰＵＳＣＨ伝送方法。
【請求項２】
前記の前記目標ＰＵＳＣＨで前記指示情報を伝送することは、
レートマッチング方式で前記目標ＰＵＳＣＨで前記指示情報を伝送することを含む、請求項１に記載の伝送方法。
【請求項３】
前記のレートマッチング方式で前記目標ＰＵＳＣＨで前記指示情報を伝送することは、
前記目標ＰＵＳＣＨで伝送するデータを、前記目標ＰＵＳＣＨで前記指示情報に占用されるリソースにマッピングしないと決定することを含む、請求項２に記載の伝送方法。
【請求項４】
前記の前記目標ＰＵＳＣＨで前記指示情報を伝送することは、
前記目標ＰＵＳＣＨで前記指示情報に占用される第１伝送リソースを決定することと、
前記指示情報を、順にチャネル符号化、レートマッチングおよび変調を経てから前記目標ＰＵＳＣＨの第１伝送リソースにマッピングして伝送することとを含む、請求項１に記載の伝送方法。
【請求項５】
前記の前記目標ＰＵＳＣＨで前記指示情報に占用される第１伝送リソースを決定することは、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとを含む、請求項４に記載の伝送方法。
【請求項６】
前記の前記目標ＰＵＳＣＨで前記指示情報を伝送することは、
前記指示情報および前記目標ＰＵＳＣＨで伝送するデータに対し独立のチャネル符号化を行うことを含む、請求項１に記載の伝送方法。
【請求項７】
前記の前記目標ＰＵＳＣＨで前記指示情報を伝送することは、
前記指示情報によって、前記目標ＰＵＳＣＨにＨＡＲＱ−ＡＣＫ情報が存在すると指示する場合、前記指示情報および前記ＨＡＲＱ−ＡＣＫ情報に対し独立のチャネル符号化を行うことを含む、請求項１に記載の伝送方法。
【請求項８】
前記の前記目標ＰＵＳＣＨで前記指示情報を伝送することは、
前記指示情報の変調方式を決定することを含み、
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される、請求項１に記載の伝送方法。
【請求項９】
前記指示情報のビット数は、１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する、請求項１に記載の伝送方法。
【請求項１０】
前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
ここで、前記第１指示フィールドと前記第２指示フィールドは独立または統合的に符号化する、請求項１に記載の伝送方法。
【請求項１１】
前記指示情報のビット数は、Ｍ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する、請求項１に記載の伝送方法。
【請求項１２】
前記目標ＰＵＳＣＨは、対応するアップリンクグラントのないＰＵＳＣＨ、対応するＤＡＩ（Ｄｏｗｎｌｉｎｋ  Ａｓｓｉｇｎｍｅｎｔ  Ｉｎｄｅｘ）のないＰＵＳＣＨのいずれか一つであり、
または、前記目標ＰＵＳＣＨは、ＳＰＳ（Ｓｅｍｉ−Ｐｅｒｓｉｓｔｅｎｔ  Ｓｃｈｅｄｕｌｉｎｇ）のＰＵＳＣＨ、グラントフリー（ｇｒａｎｔ−ｆｒｅｅ）のＰＵＳＣＨ、対応するアップリンクグラントを有するもののアップリンクグラントにＤＡＩが含まれないＰＵＳＣＨのいずれか一つである、請求項１〜１１のいずれか一項に記載の伝送方法。
【請求項１３】
前記指示情報を決定することの前に、
所定条件のうちの少なくとも一つを満たすかを判断し、所定条件のうちの少なくとも一つを満たした場合、前記指示情報を決定することをさらに含み、
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨ（Ｐｈｙｓｉｃａｌ  Ｕｐｌｉｎｋ  Ｃｏｎｔｒｏｌ  Ｃｈａｎｎｅｌ）とＰＵＳＣＨの同時伝送をサポートしないこととを含む、請求項１〜１１のいずれか一項に記載の伝送方法。
【請求項１４】
ＰＵＳＣＨ受信方法において、
目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信することと、
前記指示情報に基づいて、前記目標ＰＵＳＣＨにＨＡＲＱ−ＡＣＫ情報が存在するか否かを決定することとを含む、ＰＵＳＣＨ受信方法。
【請求項１５】
前記の目標ＰＵＳＣＨでＨＡＲＱ−ＡＣＫ指示情報を受信することは、
レートマッチング方式で前記目標ＰＵＳＣＨで前記指示情報を受信することを含む、請求項１４に記載の受信方法。
【請求項１６】
前記のレートマッチング方式で前記目標ＰＵＳＣＨで前記指示情報を受信することは、
前記目標ＰＵＳＣＨで伝送するデータを、前記目標ＰＵＳＣＨで前記指示情報に占用されるリソースにマッピングしないと決定することを含む、請求項１５に記載の受信方法。
【請求項１７】
前記の目標ＰＵＳＣＨでＨＡＲＱ−ＡＣＫ指示情報を受信することは、
前記目標ＰＵＳＣＨで前記指示情報に占用される第１伝送リソースを決定することと、
前記ＨＡＲＱ−ＡＣＫ指示情報を前記第１伝送リソースで受信することとを含む、請求項１４に記載の受信方法。
【請求項１８】
前記の前記目標ＰＵＳＣＨで前記指示情報に占用される第１伝送リソースを決定することは、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとを含む、請求項１７に記載の受信方法。
【請求項１９】
前記の目標ＰＵＳＣＨでＨＡＲＱ−ＡＣＫ指示情報を受信することは、
前記指示情報および前記目標ＰＵＳＣＨで伝送するデータによる独立のチャネル符号化を決定することを含む、請求項１４に記載の受信方法。
【請求項２０】
前記の目標ＰＵＳＣＨでＨＡＲＱ−ＡＣＫ指示情報を受信することは、
前記指示情報によって、前記目標ＰＵＳＣＨにＨＡＲＱ−ＡＣＫ情報が存在すると指示する場合、前記指示情報および前記ＨＡＲＱ−ＡＣＫ情報による独立のチャネル符号化を決定することを含む、請求項１４に記載の受信方法。
【請求項２１】
前記の目標ＰＵＳＣＨでＨＡＲＱ−ＡＣＫ指示情報を受信することは、
前記指示情報の変調方式を決定することを含み、
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される、請求項１４に記載の受信方法。
【請求項２２】
前記指示情報のビット数は、１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する、請求項１４に記載の受信方法。
【請求項２３】
前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
前記第１指示フィールドと前記第２指示フィールドは独立または統合的に符号化する、請求項１４に記載の受信方法。
【請求項２４】
前記指示情報のビット数は、Ｍ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する、請求項１４に記載の受信方法。
【請求項２５】
前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つである、請求項１４〜２４のいずれか一項に記載の受信方法。
【請求項２６】
前記の目標ＰＵＳＣＨでＨＡＲＱ−ＡＣＫ指示情報を受信することの前に、
所定条件のうちの少なくとも一つを満たすかを判断し、所定条件のうちの少なくとも一つを満たした場合、目標ＰＵＳＣＨでＨＡＲＱ−ＡＣＫ指示情報を受信することをさらに含み、
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む、請求項１４〜２４のいずれか一項に記載の受信方法。
【請求項２７】
トランシーバと、メモリと、プロセッサと、前記メモリに格納されて前記プロセッサで実行可能なコンピュータプログラムを含む端末において、
前記プロセッサは、
メモリからプログラムを読み取って、
少なくとも、目標ＰＵＳＣＨにＨＡＲＱ−ＡＣＫ情報が存在するか否かを指示するためのＨＡＲＱ−ＡＣＫ指示情報を決定するプロセスを実行することに用いられ、
前記トランシーバは、前記目標ＰＵＳＣＨで前記指示情報を伝送するプロセスを実行することに用いられる、端末。
【請求項２８】
前記トランシーバは、さらに、
レートマッチング方式で前記目標ＰＵＳＣＨで前記指示情報を伝送することに用いられる、請求項２７に記載の端末。
【請求項２９】
前記プロセッサは、さらに、
前記目標ＰＵＳＣＨで伝送するデータを、前記目標ＰＵＳＣＨで前記指示情報に占用されるリソースにマッピングしないと決定することに用いられる、請求項２８に記載の端末。
【請求項３０】
前記プロセッサは、さらに、
前記目標ＰＵＳＣＨで前記指示情報に占用される第１伝送リソースを決定することと、
前記指示情報を、順にチャネル符号化、レートマッチングおよび変調を経てから前記目標ＰＵＳＣＨの第１伝送リソースにマッピングして伝送することとに用いられる、請求項２７に記載の端末。
【請求項３１】
前記プロセッサは、さらに、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとに用いられる、請求項３０に記載の端末。
【請求項３２】
前記プロセッサは、さらに、
前記指示情報および前記目標ＰＵＳＣＨで伝送するデータに対し独立のチャネル符号化を行うことに用いられる、請求項２７に記載の端末。
【請求項３３】
前記プロセッサは、さらに、
前記指示情報によって、前記目標ＰＵＳＣＨにＨＡＲＱ−ＡＣＫ情報が存在すると指示する場合、前記指示情報および前記ＨＡＲＱ−ＡＣＫ情報に対し独立のチャネル符号化を行うことに用いられる、請求項２７に記載の端末。
【請求項３４】
前記プロセッサは、さらに、
前記指示情報の変調方式を決定することに用いられ、
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される、請求項２７に記載の端末。
【請求項３５】
前記指示情報のビット数は、１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する、請求項２７に記載の端末。
【請求項３６】
前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
ここで、前記第１指示フィールドと前記第２指示フィールドは独立または統合的に符号化する、請求項２７に記載の端末。
【請求項３７】
前記指示情報のビット数は、Ｍ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する、請求項２７に記載の端末。
【請求項３８】
前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つである、請求項２７〜３７のいずれか一項に記載の端末。
【請求項３９】
前記プロセッサは、さらに、
所定条件のうちの少なくとも一つを満たすかを判断し、所定条件のうちの少なくとも一つを満たした場合、前記指示情報を決定することに用いられ、
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨ（Ｐｈｙｓｉｃａｌ  Ｕｐｌｉｎｋ  Ｃｏｎｔｒｏｌ  Ｃｈａｎｎｅｌ）とＰＵＳＣＨの同時伝送をサポートしないこととを含む、請求項２７〜３７のいずれか一項に記載の端末。
【請求項４０】
少なくとも、目標ＰＵＳＣＨにＨＡＲＱ−ＡＣＫ情報が存在するか否かを指示するためのＨＡＲＱ−ＡＣＫ指示情報を決定するための情報決定モジュールと、
前記目標ＰＵＳＣＨで前記指示情報を伝送するための情報伝送モジュールと、
を含む、ＰＵＳＣＨ伝送装置。
【請求項４１】
コンピュータプログラムが格納されているコンピュータ読み取り可能な記憶媒体であって、
前記コンピュータプログラムがプロセッサによって実行されると、請求項１〜１３のいずれか一項に記載のＰＵＳＣＨ伝送方法のことが実現される、コンピュータ読み取り可能な記憶媒体。
【請求項４２】
トランシーバと、メモリと、プロセッサと、前記メモリに格納されて前記プロセッサで実行可能なコンピュータプログラムを含む基地局において、
前記トランシーバは、目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信するプロセスを実行することに用いられ、
前記プロセッサは、
メモリからプログラムを読み取って、
前記指示情報に基づいて、前記目標ＰＵＳＣＨにＨＡＲＱ−ＡＣＫ情報が存在するか否かを決定するプロセスを実行することに用いられる、基地局。
【請求項４３】
前記トランシーバは、さらに、
レートマッチング方式で前記目標ＰＵＳＣＨで前記指示情報を受信することに用いられる、請求項４２に記載の基地局。
【請求項４４】
前記プロセッサは、さらに、
前記目標ＰＵＳＣＨで伝送するデータを、前記目標ＰＵＳＣＨで前記指示情報に占用されるリソースにマッピングしないと決定することに用いられる、請求項４３に記載の基地局。
【請求項４５】
前記プロセッサは、さらに、
前記目標ＰＵＳＣＨで前記指示情報に占用される第１伝送リソースを決定することに用いられ、
前記トランシーバは、さらに、
前記ＨＡＲＱ−ＡＣＫ指示情報を前記第１伝送リソースで受信することに用いられる、請求項４２に記載の基地局。
【請求項４６】
前記プロセッサは、さらに、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとに用いられる、請求項４５に記載の基地局。
【請求項４７】
前記プロセッサは、さらに、
前記指示情報および前記目標ＰＵＳＣＨで伝送するデータによる独立のチャネル符号化を決定することに用いられる、請求項４２に記載の基地局。
【請求項４８】
前記プロセッサは、さらに、
前記指示情報によって、前記目標ＰＵＳＣＨにＨＡＲＱ−ＡＣＫ情報が存在すると指示する場合、前記指示情報および前記ＨＡＲＱ−ＡＣＫ情報による独立のチャネル符号化を決定することに用いられる、請求項４２に記載の基地局。
【請求項４９】
前記プロセッサは、さらに、
前記指示情報の変調方式を決定することに用いられ、
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される、請求項４２に記載の基地局。
【請求項５０】
前記指示情報のビット数は、１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する、請求項４２に記載の基地局。
【請求項５１】
前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
前記第１指示フィールドと前記第２指示フィールドは独立または統合的に符号化する、請求項４２に記載の基地局。
【請求項５２】
前記指示情報のビット数は、Ｍ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する、請求項４２に記載の基地局。
【請求項５３】
前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つである、請求項４２〜５２のいずれか一項に記載の基地局。
【請求項５４】
前記プロセッサは、さらに、
所定条件のうちの少なくとも一つを満たすかを判断し、所定条件のうちの少なくとも一つを満たした場合、目標ＰＵＳＣＨでＨＡＲＱ−ＡＣＫ指示情報を受信することに用いられ、
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む、請求項４４〜５２のいずれか一項に記載の基地局。
【請求項５５】
目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信するための情報受信モジュールと、
前記指示情報に基づいて、前記目標ＰＵＳＣＨにＨＡＲＱ−ＡＣＫ情報が存在するか否かを決定するための決定モジュールと、
を含む、ＰＵＳＣＨ受信装置。
【請求項５６】
コンピュータプログラムが格納されているコンピュータ読み取り可能な記憶媒体であって、
前記コンピュータプログラムがプロセッサによって実行されると、請求項１４〜２６のいずれか一項に記載のＰＵＳＣＨ受信方法のことが実現される、コンピュータ読み取り可能な記憶媒体。
【発明の詳細な説明】
【技術分野】
【０００１】
本願は、２０１７年１２月８日に中国特許庁に提出された中国特許出願２０１７１１２９８１５５．８の優先権を主張し、その全ての内容が援用によりここに取り込まれる。
本開示は、通信技術分野に係り、特にＰＵＳＣＨ伝送方法、受信方法、端末および基地局に係る。
【背景技術】
【０００２】
ＬＴＥ（登録商標）無線通信システムにおいて、端末ＵＥは、あるサブフレームで同時にＰＵＳＣＨ（Ｐｈｙｓｉｃａｌ  Ｕｐｌｉｎｋ  Ｓｈａｒｅｄ  Ｃｈａｎｎｅｌ）とＵＣＩ（Ｕｐｌｉｎｋ  Ｃｏｎｔｒｏｌ  Ｉｎｆｏｒｍａｔｉｏｎ）伝送が存在する場合、ＵＥではＰＵＣＣＨ（Ｐｈｙｓｉｃａｌ  Ｕｐｌｉｎｋ  Ｃｏｎｔｒｏｌ  Ｃｈａｎｎｅｌ）とＰＵＳＣＨの同時伝送がサポートされるのであれば、ＰＵＣＣＨでＵＣＩを伝送し、ＰＵＳＣＨでデータを伝送することができる。ＵＥではＰＵＣＣＨとＰＵＳＣＨの同時伝送がサポートされないのであれば、ＵＣＩは、データとともにＰＵＳＣＨで伝送される。ＵＣＩは、少なくともＨＡＲＱ−ＡＣＫ（Ｈｙｂｒｉｄ  Ａｕｔｏｍａｔｉｃ  Ｒｅｐｅａｔ  ｒｅＱｕｅｓｔ  ＡＣＫｎｏｗｌｅｇｅｍｅｎｔ）、ＣＳＩ（Ｃｈａｎｎｅｌ  Ｓｔａｔｅ  Ｉｎｆｏｒｍａｔｉｏｎ）およびＳＲ（Ｓｃｈｅｄｕｌｉｎｇ  Ｒｅｑｕｅｓｔ）を含む。
【０００３】
ＬＴＥシステムにおいて、ＨＡＲＱ−ＡＣＫは、ＰＵＳＣＨで、ＰＵＳＣＨでのデータをパンクさせることによって伝送される。すなわちＰＵＳＣＨでのデータは、チャネル符号化およびレートマッチングが行われる際に、ＨＡＲＱ−ＡＣＫが存在するか否かを考慮せず、すなわち、ＨＡＲＱ−ＡＣＫに占用されるリソースがないとして、チャネル符号化およびレートマッチングが行われる。ＨＡＲＱ−ＡＣＫが存在する場合、ＨＡＲＱ−ＡＣＫは、所定のマッピングルールに従って、対応するリソースにマッピングして伝送する。その場合、ＨＡＲＱ−ＡＣＫ情報は、当該リソースでのデータ情報を上書きし、すなわちデータ情報は、ＨＡＲＱ−ＡＣＫによってパンクされる。当該方法によれば、データの符号化およびレートマッチングがＨＡＲＱ−ＡＣＫの存在や非存在から影響を受けないことを保証し、基地局ｅＮＢとＵＥでは伝送データのコードレートに対する認識の一致を保証する。これは、基地局からＵＥへダウンリンクデータを送信した場合、ＬＩＥで定義されている一定のＨＡＲＱ−ＡＣＫフィードバックタイミング（ｔｉｍｉｎｇ）に基づき、ＵＥから対応するフィードバックタイミングで当該ダウンリンクデータのＨＡＲＱ−ＡＣＫをフィードバックすることを基地局が期待するが、端末ではダウンリンク伝送紛失が生じると、端末側ではダウンリンク伝送のＨＡＲＱ−ＡＣＫフィードバックを行わないため、基地局と端末では対応するフィードバックタイミングにＨＡＲＱ−ＡＣＫ伝送が存在するか否かについて認識が一致しない可能性があるからである。対応するフィードバックタイミングにＰＵＳＣＨが存在しかつ端末ではＰＵＣＣＨとＰＵＳＣＨの同時伝送がサポートされない場合、ＨＡＲＱ−ＡＣＫがデータ情報パンク方式でＰＵＳＣＨで伝送するため、基地局と端末ではＨＡＲＱ−ＡＣＫ伝送が存在するか否かの認識が一致しなくても、端末から伝送されるデータに対し、基地局の復号およびレートマッチング解除プロセスに影響を与えない。
【０００４】
５Ｇ  ＮＲにおいて、一定のＨＡＲＱ−ＡＣＫフィードバックｔｉｍｉｎｇをサポートする（一つのダウンリンク伝送のＨＡＲＱ−ＡＣＫがどの時刻でフィードバックされるかは、予め確定または設定される）ほか、動的のＨＡＲＱ−ＡＣＫフィードバックｔｉｍｉｎｇもサポートし、すなわち、一つのダウンリンク伝送のＨＡＲＱ−ＡＣＫがどの時刻でフィードバックされるかは、ダウンリンク伝送に対応するＤＣＩ（Ｄｏｗｎｌｉｎｋ  Ｃｏｎｔｒｏｌ  Ｉｎｆｏｒｍａｔｉｏｎ）によって指示される。また、５Ｇ  ＮＲでは、ミニスロット（ｍｉｎｉ−ｓｌｏｔ）に基づいた伝送（すなわち一回のダウンリンク伝送の伝送長が、一つのスロット（ｓｌｏｔ）または一つのスロットでのすべてのダウンリンクシンボルの長さより短い可能性があり、たとえば１、２、４、７など任意のシンボル長の伝送）もサポートし、ＣＢＧ（Ｃｏｄｅ  Ｂｌｏｃｋ  Ｇｒｏｕｐ）に基づくＨＡＲＱ−ＡＣＫフィードバックおよびマルチキャリア伝送などをサポートする。これらの要素によって、ＨＡＲＱ−ＡＣＫフィードバックビット数がＬＴＥより多く増加することをもたらし、ＰＵＳＣＨでのデータをパンクさせる方式で引き続きＰＵＳＣＨでＨＡＲＱ−ＡＣＫを伝送すると、ＰＵＳＣＨの多くのデータ情報がＨＡＲＱ−ＡＣＫによってパンクされることになり、ＰＵＳＣＨの伝送性能を大きく影響する。
【０００５】
よって、５Ｇ  ＮＲでは、１〜２ビットのＨＡＲＱ−ＡＣＫのＰＵＳＣＨでの伝送に対し、パンク方式を用いるが、２ビットより大きいＨＡＲＱ−ＡＣＫのＰＵＳＣＨでの伝送に対し、レートマッチング方式を用い、すなわち、ＰＵＳＣＨでのデータに対し符号化およびレートマッチングを行う際に、ＨＡＲＱ−ＡＣＫに占用されるリソースを除外する。
【０００６】
レートマッチング方式でＰＵＳＣＨでＨＡＲＱ−ＡＣＫを伝送する場合、ＨＡＲＱ−ＡＣＫが存在するか否かおよびＨＡＲＱ−ＡＣＫのビット数は、ＰＵＳＣＨでのデータの符号化およびレートマッチング（すなわちデータのコードレートに影響する）および実際のマッピングリソース位置に影響を与える。ＨＡＲＱ−ＡＣＫが存在するか否かおよびＨＡＲＱ−ＡＣＫのビット数に対する基地局の認識が、端末の実際の伝送に一致しない場合、ＰＵＳＣＨの誤復号をもたらし、ＰＵＳＣＨの受信失敗につながる。５Ｇ  ＮＲでは、アップリンクグラント（ＵＬ  ｇｒａｎｔ）を有するＰＵＳＣＨに対し、アップリンクグラントには、ＰＵＳＣＨで伝送するＨＡＲＱ−ＡＣＫのビット数を指示するためのＤＡＩ（Ｄｏｗｎｌｉｎｋ  Ａｓｓｉｇｎｍｅｎｔ  Ｉｎｄｅｘ）を含み、当該情報フィールドと実際に受信したダウンリンク伝送の数の総合的判断に基づいて、ＨＡＲＱ−ＡＣＫ伝送が存在するか否かを判断する。
【０００７】
５Ｇ  ＮＲでは、ＳＰＳ（Ｓｅｍｉ−Ｐｅｒｓｉｓｔｅｎｔ  Ｓｃｈｅｄｕｌｉｎｇ）のＰＵＳＣＨや、グラントフリー（ｇｒａｎｔ−ｆｒｅｅ）のＰＵＳＣＨなど、対応するアップリングラントのないＰＵＳＣＨ伝送もサポートし、すなわち、基地局は、グラントフリーのＰＵＳＣＨにスケジューリング情報を一切送信せず、ＲＲＣ（Ｒａｄｉｏ  Ｒｅｓｏｕｒｃｅ  Ｃｏｎｔｒｏｌ）シグナリングのみによって、端末によるグラントフリーのＰＵＳＣＨ伝送が可能な位置および一部の設定情報を設定する。端末は、基地局から予め設定された位置で設定情報に基づいてグラントフリーのＰＵＳＣＨ伝送を行う。対応するＵＬ  ｇｒａｎｔを有するもののＵＬ  ｇｒａｎｔにＤＡＩがないＰＵＳＣＨもサポートする可能性がある。
【０００８】
ＨＡＲＱ−ＡＣＫと上記ＰＵＳＣＨが同一時刻で発生しかつＰＵＣＣＨとＰＵＳＣＨの同時伝送がサポートされない場合、ＨＡＲＱ−ＡＣＫをＰＵＳＣＨで伝送する必要がある。基地局から端末へダウンリンク伝送を送信したが、端末がダウンリンク伝送を一切受信しなかった場合、端末は、ＰＵＳＣＨでＨＡＲＱ−ＡＣＫを付帯せずにデータのみを伝送する。すなわちＰＵＳＣＨでデータのレートマッチングは、ＨＡＲＱ−ＡＣＫなしとして行われる。しかし、基地局は、端末がダウンリンク伝送を一切受信しなかったとの判断ができず、引き続き、ＰＵＳＣＨにＨＡＲＱ−ＡＣＫが存在する場合のレートマッチング方式でＨＡＲＱ−ＡＣＫとＰＵＳＣＨを検出するため、データに占用されるリソースに対する認識が端末の実際の送信とは一致せず、データの復号に誤りが生じ、基地局側の誤受信につながる。
【０００９】
以上をまとめると、５Ｇ  ＮＲでは、ＰＵＳＣＨでのＨＡＲＱ−ＡＣＫ伝送にレートマッチング方式が用いられる場合、端末と基地局では、ＰＵＳＣＨにＨＡＲＱ−ＡＣＫが存在するか否かの認識が一致しない可能性があるため、ＰＵＳＣＨで実際にデータ伝送に応用されるリソース位置とサイズの判断が一致せず、データのレートマッチング結果が一致せず、ＰＵＳＣＨ伝送に対する基地局の受信失敗につながる。
【発明の概要】
【発明が解決しようとする課題】
【００１０】
本発明の目的は、ＰＵＳＣＨ伝送方法、受信方法、端末および基地局を提供し、端末と基地局ではＰＵＳＣＨにＨＡＲＱ−ＡＣＫが存在するかの認識不一致によって、ＰＵＳＣＨで伝送するデータの基地局による受信が失敗するという従来技術の問題を解決する。
【課題を解決するための手段】
【００１１】
上記目的を達成するために、本開示は、ＰＵＳＣＨ伝送方法を提供する。
当該方法において、
少なくとも、目標ＰＵＳＣＨにＨＡＲＱ−ＡＣＫ情報が存在するか否かを指示するためのＨＡＲＱ−ＡＣＫ指示情報を決定することと、
前記目標ＰＵＳＣＨで前記指示情報を伝送することとを含む。
【００１２】
ここで、前記の前記目標ＰＵＳＣＨで前記指示情報を伝送することは、
レートマッチング方式で前記目標ＰＵＳＣＨで前記指示情報を伝送することを含む。
【００１３】
ここで、前記のレートマッチング方式で前記目標ＰＵＳＣＨで前記指示情報を伝送することは、
前記目標ＰＵＳＣＨで伝送するデータを、前記目標ＰＵＳＣＨで前記指示情報に占用されるリソースにマッピングしないと決定することを含む。
【００１４】
ここで、前記の前記目標ＰＵＳＣＨで前記指示情報を伝送することは、
前記目標ＰＵＳＣＨで前記指示情報に占用される第１伝送リソースを決定することと、
前記指示情報を、順にチャネル符号化、レートマッチングおよび変調を経てから前記目標ＰＵＳＣＨの第１伝送リソースにマッピングして伝送することとを含む。
【００１５】
ここで、前記の前記目標ＰＵＳＣＨで前記指示情報に占用される第１伝送リソースを決定することは、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとを含む。
【００１６】
ここで、前記の前記目標ＰＵＳＣＨで前記指示情報を伝送することは、
前記指示情報および前記目標ＰＵＳＣＨで伝送するデータに対し独立のチャネル符号化を行うことを含む。
【００１７】
ここで、前記の前記目標ＰＵＳＣＨで前記指示情報を伝送することは、
前記指示情報によって、前記目標ＰＵＳＣＨにＨＡＲＱ−ＡＣＫ情報が存在すると指示する場合、前記指示情報および前記ＨＡＲＱ−ＡＣＫ情報に対し独立のチャネル符号化を行うことを含む。
【００１８】
ここで、前記の前記目標ＰＵＳＣＨで前記指示情報を伝送することは、
前記指示情報の変調方式を決定することを含み、
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される。
【００１９】
ここで、前記指示情報のビット数は、１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する。
【００２０】
ここで、前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
ここで、前記第１指示フィールドと前記第２指示フィールドは独立または統合的に符号化する。
【００２１】
ここで、前記指示情報のビット数は、Ｍ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する。
【００２２】
ここで、前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つである。
【００２３】
ここで、前記指示情報を決定することの前に、前記伝送方法において、
所定条件のうちの少なくとも一つを満たすかを判断し、所定条件のうちの少なくとも一つを満たした場合、前記指示情報を決定することをさらに含み、
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む。
【００２４】
本開示の実施例は、ＰＵＳＣＨ受信方法をさらに提供する。
当該方法において、
目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信することと、
前記指示情報に基づいて、前記目標ＰＵＳＣＨにＨＡＲＱ−ＡＣＫ情報が存在するか否かを決定することとを含む。
【００２５】
ここで、前記の目標ＰＵＳＣＨでＨＡＲＱ−ＡＣＫ指示情報を受信することは、
レートマッチング方式で前記目標ＰＵＳＣＨで前記指示情報を受信することを含む。
【００２６】
ここで、前記のレートマッチング方式で前記目標ＰＵＳＣＨで前記指示情報を受信することは、
前記目標ＰＵＳＣＨで伝送するデータを、前記目標ＰＵＳＣＨで前記指示情報に占用されるリソースにマッピングしないと決定することを含む。
【００２７】
ここで、前記の目標ＰＵＳＣＨでＨＡＲＱ−ＡＣＫ指示情報を受信することは、
前記目標ＰＵＳＣＨで前記指示情報に占用される第１伝送リソースを決定することと、
前記ＨＡＲＱ−ＡＣＫ指示情報を前記第１伝送リソースで受信することとを含む。
【００２８】
ここで、前記の前記目標ＰＵＳＣＨで前記指示情報に占用される第１伝送リソースを決定することは、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとを含む。
【００２９】
ここで、前記の目標ＰＵＳＣＨでＨＡＲＱ−ＡＣＫ指示情報を受信することは、
前記指示情報および前記目標ＰＵＳＣＨで伝送するデータによる独立のチャネル符号化を決定することを含む。
【００３０】
ここで、前記の目標ＰＵＳＣＨでＨＡＲＱ−ＡＣＫ指示情報を受信することは、
前記指示情報によって、前記目標ＰＵＳＣＨにＨＡＲＱ−ＡＣＫ情報が存在すると指示する場合、前記指示情報および前記ＨＡＲＱ−ＡＣＫ情報による独立のチャネル符号化を決定することを含む。
【００３１】
ここで、前記の目標ＰＵＳＣＨでＨＡＲＱ−ＡＣＫ指示情報を受信することは、
前記指示情報の変調方式を決定することを含み、
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される。
【００３２】
ここで、前記指示情報のビット数は、１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する。
【００３３】
ここで、前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
前記第１指示フィールドと前記第２指示フィールドは独立または統合的に符号化する。
【００３４】
ここで、前記指示情報のビット数は、Ｍ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する。
【００３５】
ここで、前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つである。
【００３６】
ここで、前記の目標ＰＵＳＣＨでＨＡＲＱ−ＡＣＫ指示情報を受信することの前に、前記方法において、
所定条件のうちの少なくとも一つを満たすかを判断し、所定条件のうちの少なくとも一つを満たした場合、目標ＰＵＳＣＨでＨＡＲＱ−ＡＣＫ指示情報を受信することをさらに含み、
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む。
【００３７】
本開示の実施例は、トランシーバと、メモリと、プロセッサと、前記メモリに格納されて前記プロセッサで実行可能なコンピュータプログラムを含む端末をさらに提供する。
前記プロセッサは、
メモリからプログラムを読み取って、
少なくとも、目標ＰＵＳＣＨにＨＡＲＱ−ＡＣＫ情報が存在するか否かを指示するためのＨＡＲＱ−ＡＣＫ指示情報を決定するプロセスを実行することに用いられ、
前記トランシーバは、前記目標ＰＵＳＣＨで前記指示情報を伝送するプロセスを実行することに用いられる。
【００３８】
ここで、前記トランシーバは、さらに、
レートマッチング方式で前記目標ＰＵＳＣＨで前記指示情報を伝送することに用いられる。
【００３９】
ここで、前記プロセッサは、さらに、
前記目標ＰＵＳＣＨで伝送するデータを、前記目標ＰＵＳＣＨで前記指示情報に占用されるリソースにマッピングしないと決定することに用いられる。
【００４０】
ここで、前記プロセッサは、さらに、
前記目標ＰＵＳＣＨで前記指示情報に占用される第１伝送リソースを決定することと、
前記指示情報を、順にチャネル符号化、レートマッチングおよび変調を経てから前記目標ＰＵＳＣＨの第１伝送リソースにマッピングして伝送することとに用いられる。
【００４１】
ここで、前記プロセッサは、さらに、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとに用いられる。
【００４２】
ここで、前記プロセッサは、さらに、
前記指示情報および前記目標ＰＵＳＣＨで伝送するデータに対し独立のチャネル符号化を行うことに用いられる。
【００４３】
ここで、前記プロセッサは、さらに、
前記指示情報によって、前記目標ＰＵＳＣＨにＨＡＲＱ−ＡＣＫ情報が存在すると指示する場合、前記指示情報および前記ＨＡＲＱ−ＡＣＫ情報に対し独立のチャネル符号化を行うことに用いられる。
【００４４】
ここで、前記プロセッサは、さらに、
前記指示情報の変調方式を決定することに用いられ、
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される。
【００４５】
ここで、前記指示情報のビット数は、１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する。
【００４６】
ここで、前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
ここで、前記第１指示フィールドと前記第２指示フィールドは独立または統合的に符号化する。
【００４７】
ここで、前記指示情報のビット数は、Ｍ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する。
【００４８】
ここで、前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つである。
【００４９】
ここで、前記プロセッサは、さらに、
所定条件のうちの少なくとも一つを満たすかを判断し、所定条件のうちの少なくとも一つを満たした場合、前記指示情報を決定することに用いられ、
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む。
【００５０】
本開示の実施例は、ＰＵＳＣＨ伝送装置をさらに提供する。
当該ＰＵＳＣＨ伝送装置は、
少なくとも、目標ＰＵＳＣＨにＨＡＲＱ−ＡＣＫ情報が存在するか否かを指示するためのＨＡＲＱ−ＡＣＫ指示情報を決定するための情報決定モジュールと、
前記目標ＰＵＳＣＨで前記指示情報を伝送するための情報伝送モジュールとを含む。
【００５１】
本開示の実施例は、コンピュータプログラムが格納されているコンピュータ読み取り可能な記憶媒体をさらに提供する。
前記コンピュータプログラムがプロセッサによって実行されると、以上記載したＰＵＳＣＨ伝送方法のことが実現される。
【００５２】
本開示の実施例は、トランシーバと、メモリと、プロセッサと、前記メモリに格納されて前記プロセッサで実行可能なコンピュータプログラムを含む基地局をさらに提供する。
当該基地局において、
前記トランシーバは、目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信するプロセスを実行することに用いられ、
前記プロセッサは、
メモリからプログラムを読み取って、
前記指示情報に基づいて、前記目標ＰＵＳＣＨにＨＡＲＱ−ＡＣＫ情報が存在するか否かを決定するプロセスを実行することに用いられる。
【００５３】
ここで、前記トランシーバは、さらに、
レートマッチング方式で前記目標ＰＵＳＣＨで前記指示情報を受信することに用いられる。
【００５４】
ここで、前記プロセッサは、さらに、
前記目標ＰＵＳＣＨで伝送するデータを、前記目標ＰＵＳＣＨで前記指示情報に占用されるリソースにマッピングしないと決定することに用いられる。
【００５５】
ここで、前記プロセッサは、さらに、
前記目標ＰＵＳＣＨで前記指示情報に占用される第１伝送リソースを決定することに用いられ、
前記トランシーバは、さらに、
前記ＨＡＲＱ−ＡＣＫ指示情報を前記第１伝送リソースで受信することに用いられる。
【００５６】
ここで、前記プロセッサは、さらに、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとに用いられる。
【００５７】
ここで、前記プロセッサは、さらに、
前記指示情報および前記目標ＰＵＳＣＨで伝送するデータによる独立のチャネル符号化を決定することに用いられる。
【００５８】
ここで、前記プロセッサは、さらに、
前記指示情報によって、前記目標ＰＵＳＣＨにＨＡＲＱ−ＡＣＫ情報が存在すると指示する場合、前記指示情報および前記ＨＡＲＱ−ＡＣＫ情報による独立のチャネル符号化を決定することに用いられる。
【００５９】
ここで、前記プロセッサは、さらに、
前記指示情報の変調方式を決定することに用いられ、ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される。
【００６０】
ここで、前記指示情報のビット数は、１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する。
【００６１】
ここで、前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
前記第１指示フィールドと前記第２指示フィールドは独立または統合的に符号化する。
【００６２】
ここで、前記指示情報のビット数は、Ｍ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する。
【００６３】
ここで、前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つである。
【００６４】
ここで、前記プロセッサは、さらに、
所定条件のうちの少なくとも一つを満たすかを判断し、所定条件のうちの少なくとも一つを満たした場合、目標ＰＵＳＣＨでＨＡＲＱ−ＡＣＫ指示情報を受信することに用いられ、
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む。
【００６５】
本開示の実施例は、ＰＵＳＣＨ受信装置をさらに提供する。
当該ＰＵＳＣＨ受信装置は、
目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信するための情報受信モジュールと、
前記指示情報に基づいて、前記目標ＰＵＳＣＨにＨＡＲＱ−ＡＣＫ情報が存在するか否かを決定するための決定モジュールとを含む。
【００６６】
本開示の実施例は、コンピュータプログラムが格納されているコンピュータ読み取り可能な記憶媒体をさらに提供する。
前記コンピュータプログラムがプロセッサによって実行されると、以上記載したＰＵＳＣＨ受信方法のことが実現される。
発明の効果
【００６７】
本発明の実施例のＰＵＳＣＨ伝送方法、受信方法、端末および基地局において、端末は、少なくとも、目標ＰＵＳＣＨにＨＡＲＱ−ＡＣＫ情報が存在するか否かを指示するためのＨＡＲＱ−ＡＣＫ指示情報を、ＰＵＳＣＨで追加伝送することによって、基地局は、ＰＵＳＣＨで伝送する指示情報に基づき、ＰＵＳＣＨにＨＡＲＱ−ＡＣＫ情報が存在するかを決定することができる。よって、端末と基地局では、ＰＵＳＣＨでのデータ伝送に占用されるリソースに対する認識の一致を保証し、さらに、ＰＵＳＣＨで伝送するデータを基地局が正しく受信できることを保証し、伝送性能を向上させる。
【図面の簡単な説明】
【００６８】
【図１】本開示の実施例におけるＰＵＳＣＨ伝送方法のフローチャートである。
【図２】本開示の実施例におけるＰＵＳＣＨ受信方法のフローチャートである。
【図３】本開示の実施例におけるＰＵＳＣＨ伝送方法および受信方法での伝送スロットの原理図である。
【図４】本開示の実施例における端末の構造図である。
【図５】本開示の実施例におけるＰＵＳＣＨ伝送装置の構造図である。
【図６】本開示の実施例における基地局の構造図である。
【図７】本開示の実施例におけるＰＵＳＣＨ受信装置の構造図である。
【発明を実施するための形態】
【００６９】
本開示の解決しようとする技術課題、技術手段および利点をより明確にするために、以下、図面および具体的な実施例を通じて詳細に記載する。
【００７０】
図１に示すように、本開示の実施例は、ＰＵＳＣＨ伝送方法を提供する。
当該方法において、
少なくとも、目標ＰＵＳＣＨにＨＡＲＱ−ＡＣＫ情報が存在するか否かを指示するためのＨＡＲＱ−ＡＣＫ指示情報を決定するステップ１１と、
前記目標ＰＵＳＣＨで前記指示情報を伝送するステップ１２とを含む。
【００７１】
本開示の上記実施例において、端末は、基地局からＰＤＳＣＨで伝送されたＴＢまたはＣＢＧを受信したか否か、または、ダウンリンクＳＰＳリソース解放を指示するＰＤＣＣＨを受信したか否かに基づき、指示情報の内容を決定することができる。なお、一つのアップリンク伝送時刻で伝送する一つの目標ＰＵＳＣＨは、そのうちの指示情報として、一つのＰＤＳＣＨまたはダウンリンクＳＰＳリソース解放を指示するＰＤＣＣＨに対するＨＡＲＱ−ＡＣＫ指示情報であってもよく、複数のＰＤＳＣＨおよび／またはダウンリンクＳＰＳリソース解放を指示するＰＤＣＣＨに対するＨＡＲＱ−ＡＣＫ指示情報であってもよいが、具体的にＨＡＲＱ−ＡＣＫフィードバックタイミングに基づいて、現在のアップリンク伝送時刻に対応するダウンリンク伝送の範囲を決定し、ここでは具体的に限定しない。
【００７２】
前記指示情報のビット数が１ビットである場合、前記１ビットの指示情報の指示状態が「０」であると、前記指示情報は、前記目標ＰＵＳＣＨにＨＡＲＱ−ＡＣＫ情報が存在することを指示し、前記１ビットの指示情報の指示状態が「１」であると、前記指示情報は、前記目標ＰＵＳＣＨにＨＡＲＱ−ＡＣＫ情報が存在しないことを指示し、または、前記１ビットの指示情報の指示状態が「１」であると、前記指示情報は、前記目標ＰＵＳＣＨにＨＡＲＱ−ＡＣＫ情報が存在することを指示し、前記１ビットの指示情報の指示状態が「０」であると、前記指示情報は、前記目標ＰＵＳＣＨにＨＡＲＱ−ＡＣＫ情報が存在しないことを指示することが好ましい。
【００７３】
または、前記指示情報は、目標ＰＵＳＣＨにＨＡＲＱ−ＡＣＫ情報が存在するかを指示するための第１指示フィールドと、前記第１指示フィールドとは独立または統合的に符号化し、前記ＨＡＲＱ−ＡＣＫ情報のビット数を指示するための第２指示フィールドを含む。
【００７４】
具体的に、第１指示フィールドのビット数は、１ビットである。たとえば、１ビットの第１指示フィールドが「０」であると、前記第１指示フィールドは、前記目標ＰＵＳＣＨにＨＡＲＱ−ＡＣＫ情報が存在することを指示し、前記１ビットの第１指示フィールドが「１」であると、前記第１指示フィールドは、前記目標ＰＵＳＣＨにＨＡＲＱ−ＡＣＫ情報が存在しないことを指示する。または、前記１ビットの第１指示フィールドが「１」であると、前記第１指示フィールドは、前記目標ＰＵＳＣＨにＨＡＲＱ−ＡＣＫ情報が存在することを指示し、前記１ビットの第１指示フィールドが「０」であると、前記第１指示フィールドは、前記目標ＰＵＳＣＨにＨＡＲＱ−ＡＣＫ情報が存在しないことを指示する。
【００７５】
一方、第２指示フィールドのビット数は、１ビットより大きい。たとえば第２指示フィールドのビット数が２ビットであると、第２指示フィールドは、４つの状態を指示することができ、各状態が一つのＨＡＲＱ−ＡＣＫ情報のビット数に対応する。または、第２指示フィールドは、複数：１の方式で、４つの状態によって、４を超えたＨＡＲＱ−ＡＣＫ情報のビット数を指示してもよい。たとえば、２ビットの第２指示フィールドが「００」であると、１／５／９などのビット数を示すことができ、２ビットの第２指示フィールドが「０１」であると、２／６／１０などのビット数を示すことができ、２ビットの第２指示フィールドが「１０」であると、３／７／１１などのビット数を示すことができ、２ビットの第２指示フィールドが「１１」であると、４／８／１２などのビット数を示すことができる。同一状態に対応する異なるビット数は、実際のダウンリンク受信データパケット（ＰＤＳＣＨまたはダウンリンクＳＰＳリソース解放を指示するＰＤＣＣＨ）の数に基づいて、対応する値が決定されるが、ここでは具体的に限定しない。
【００７６】
具体的に、前記第１指示フィールドと前記第２指示フィールドとは、独立または統合的に符号化する。独立の符号化である場合、指示情報に第２指示フィールドが存在するか否かは、第１指示フィールドの指示内容によって決定される。たとえば、第１指示フィールドによって、目標ＰＵＳＣＨにＨＡＲＱ−ＡＣＫ情報が存在しないと指示すると、第２指示フィールドが存在しないと決定することができるが、第１指示フィールドによって、目標ＰＵＳＣＨにＨＡＲＱ−ＡＣＫ情報が存在すると指示すると、第２指示フィールドが存在すると決定することができる。統合的符号化である場合、第１指示フィールドと第２指示フィールドとは、常に同時に存在する。
【００７７】
または、前記指示情報のビット数は、Ｍ（１より大きい整数）ビットである。
ここで、前記Ｍビットの指示情報の一つの指示状態は、目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する。
【００７８】
たとえば、Ｍ＝２の場合、当該指示情報は、４種類の指示状態を含む。たとえば指示状態「００」は、目標ＰＵＳＣＨにＨＡＲＱ−ＡＣＫ情報が存在しないことを示し、すなわちＨＡＲＱ−ＡＣＫ情報のビット数が０であることを示す。指示状態「０１」は、１／４／７などのビット数を示し、指示状態「１０」は、２／５／８などのビット数を示し、指示状態「１１」は、３／６／９などのビット数を示す。同一の指示状態に対応する異なるビット数は、実際のダウンリンク受信データパケットの数から、対応する値が決定される。もちろん、Ｍは、３ビットであってもよい。すると、８種類の指示状態のうちの一つの指示状態は、目標ＰＵＳＣＨにＨＡＲＱ−ＡＣＫ情報が存在しないことを指示し、残りの７種類の指示状態は、７種類の異なるビット数または７種類の異なるビット数セットを指示する。
【００７９】
本開示の上記実施例におけるステップ１２は、レートマッチング方式で前記目標ＰＵＳＣＨで前記指示情報を伝送するステップを含むことが好ましい。
【００８０】
具体的に、前記のレートマッチング方式で前記目標ＰＵＳＣＨで前記指示情報を伝送するステップは、
前記目標ＰＵＳＣＨで伝送するデータを、前記目標ＰＵＳＣＨで前記指示情報に占用されるリソースにマッピングしないと決定することを含む。
【００８１】
具体的に、本開示の上記実施例におけるステップ１２は、
前記目標ＰＵＳＣＨで前記指示情報に占用される第１伝送リソースを決定するステップと、
前記指示情報を、順にチャネル符号化、レートマッチングおよび変調を経てから前記目標ＰＵＳＣＨの第１伝送リソースにマッピングして伝送するステップとを含む。
【００８２】
なお、指示情報のチャネル符号化方式は、重複符号化、プレースホルダを用いた符号化、ＲＭ符号化、ＴＢＣＣ（Ｔａｉｌ  Ｂｉｔｉｎｇ  Ｃｏｎｖｏｌｕｔｉｏｎａｌ  Ｃｏｄｉｎｇ）、Ｐｏｌａｒ、ＬＤＰＣ（Ｌｏｗ  Ｄｅｎｓｉｔｙ  Ｐａｒｉｔｙ  Ｃｈｅｃｋ  Ｃｏｄｅ）などの符号化方式のうち、任意の一つの符号化方式、または任意の多種類の符号化方式の組み合わせである。
【００８３】
さらに、前記の前記目標ＰＵＳＣＨで前記指示情報に占用される第１伝送リソースを決定するステップは、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定するステップと、
前記第１伝送リソースのリソース位置とリソースサイズに基づいて前記第１伝送リソースを決定するステップとを含む。
【００８４】
第１伝送リソースのリソース位置は、予め取り決められてもよく、予め設定されてもよい。たとえば、第１伝送リソースのリソース位置は、ＰＵＳＣＨの一つ目のシンボルまたは前からＡ個のシンボルの所定周波数領域リソースにあり、または、ＰＵＳＣＨのＤＭＲＳの片側または両側のシンボルの所定周波数領域リソースにあり、または、ＰＵＳＣＨに占用される複数のシンボルの所定周波数領域リソースに離散的に分布する。ここで、前記所定周波数領域リソースは、ＰＵＳＣＨ周波数領域リソースの高周波または低周波側のＢ個のＲＥ（リソースエレメント）であり、または、ＰＵＳＣＨ周波数領域リソースに離散的に分布するＢ個のＲＥであり、または、高周波と低周波両側に均一に分布するＢ個のＲＥである。
【００８５】
第１伝送リソースのリソースサイズは、予めの確定や設定であってもよく、端末が設定パラメータおよびＰＵＳＣＨの伝送パラメータに基づいて決定してもよい。たとえば、ハイレイヤシグナリングによって、指示情報を決定するためのリソースオフセットパラメータを予め設定し、当該リソースオフセットパラメータおよびＰＵＳＣＨの伝送パラメータ（変調符号化レベル、リソースサイズなど）に基づいて、指示情報のＰＵＳＣＨにおける第１伝送リソースのリソースサイズを決定する。
【００８６】
さらに、本開示の上記実施例において、目標ＰＵＳＣＨで伝送する異なる情報の混同発生を避けるために、ステップ１２は、
前記指示情報および前記目標ＰＵＳＣＨで伝送するデータに対し独立のチャネル符号化を行うステップをさらに含み、
および／または、前記指示情報によって、前記目標ＰＵＳＣＨにＨＡＲＱ−ＡＣＫ情報が存在すると指示する場合、前記指示情報および前記ＨＡＲＱ−ＡＣＫ情報に対し独立のチャネル符号化を行うステップをさらに含む。
【００８７】
さらに、本開示の上記実施例において、ステップ１２は、
前記指示情報の変調方式を決定するステップを含み、
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される。
【００８８】
なお、指示情報の変調方式は、基地局側でも、端末側と同一の方式で決定することもできる。よって、基地局は、指示情報の変調方式に対応する復調方式で指示情報の復調を行い、指示情報を正しく受信することができる。
【００８９】
一つの実施形態において、前記目標ＰＵＳＣＨは、対応するアップリンクグラントのないＰＵＳＣＨ、対応するＤＡＩのないＰＵＳＣＨのいずれか一つである。
【００９０】
もう一つの実施形態において、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つである。
【００９１】
さらに、本開示の上記実施例において、ステップ１１の実行に先立ち、その伝送方法では、さらに、所定条件のうちの少なくとも一つを満たすかを判断し、所定条件のうちの少なくとも一つを満たした場合、ステップ１１に進むが、逆の場合、ステップ１１と１２を実行しない。
ここで所定条件は、
条件１）前記目標ＰＵＳＣＨで伝送するＨＡＲＱ−ＡＣＫ情報のビット数が所定ビット数より大きくなることと、
条件２）前記目標ＰＵＳＣＨでレートマッチング方式でＨＡＲＱ−ＡＣＫ情報を伝送することと、
条件３）前記目標ＰＵＳＣＨを伝送する端末がＰＵＣＣＨとＰＵＳＣＨの同時伝送をサポートしないこととを含む。
【００９２】
以上をまとめると、本発明の上記実施例において、端末は、少なくとも、目標ＰＵＳＣＨにＨＡＲＱ−ＡＣＫ情報が存在するか否かを指示するためのＨＡＲＱ−ＡＣＫの指示情報を、ＰＵＳＣＨで追加伝送することによって、基地局は、ＰＵＳＣＨで伝送する指示情報に基づき、ＰＵＳＣＨにＨＡＲＱ−ＡＣＫ情報が存在するかを決定することができる。よって、端末と基地局では、ＰＵＳＣＨでのデータ伝送に占用されるリソースに対する認識の一致を保証し、さらに、ＰＵＳＣＨで伝送するデータを基地局が正しく受信できることを保証し、伝送性能を向上させる。
【００９３】
図２に示すように、本開示の実施例は、ＰＵＳＣＨ受信方法をさらに提供する。
当該方法において、
目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信するステップ２１と、
前記指示情報に基づいて、前記目標ＰＵＳＣＨにＨＡＲＱ−ＡＣＫ情報が存在するか否かを決定するステップ２２とを含む。
【００９４】
前記指示情報のビット数が１ビットである場合、前記１ビットの指示情報の指示状態が「０」であると、前記指示情報は、前記目標ＰＵＳＣＨにＨＡＲＱ−ＡＣＫ情報が存在することを指示し、前記１ビットの指示情報の指示状態が「１」であると、前記指示情報は、前記目標ＰＵＳＣＨにＨＡＲＱ−ＡＣＫ情報が存在しないことを指示し、または、前記１ビットの指示情報の指示状態が「１」であると、前記指示情報は、前記目標ＰＵＳＣＨにＨＡＲＱ−ＡＣＫ情報が存在することを指示し、前記１ビットの指示情報の指示状態が「０」であると、前記指示情報は、前記目標ＰＵＳＣＨにＨＡＲＱ−ＡＣＫ情報が存在しないことを指示することが好ましい。
【００９５】
または、前記指示情報は、目標ＰＵＳＣＨにＨＡＲＱ−ＡＣＫ情報が存在するかを指示するための第１指示フィールドと、前記第１指示フィールドとは独立または統合的に符号化し、前記ＨＡＲＱ−ＡＣＫ情報のビット数を指示するための第２指示フィールドを含む。
【００９６】
具体的に、第１指示フィールドのビット数は、１ビットである。たとえば、１ビットの第１指示フィールドが「０」であると、前記第１指示フィールドは、前記目標ＰＵＳＣＨにＨＡＲＱ−ＡＣＫ情報が存在することを指示し、前記１ビットの第１指示フィールドが「１」であると、前記第１指示フィールドは、前記目標ＰＵＳＣＨにＨＡＲＱ−ＡＣＫ情報が存在しないことを指示する。または、前記１ビットの第１指示フィールドが「１」であると、前記第１指示フィールドは、前記目標ＰＵＳＣＨにＨＡＲＱ−ＡＣＫ情報が存在することを指示し、前記１ビットの第１指示フィールドが「０」であると、前記第１指示フィールドは、前記目標ＰＵＳＣＨにＨＡＲＱ−ＡＣＫ情報が存在しないことを指示する。
【００９７】
一方、第２指示フィールドのビット数は、１ビットより大きい。たとえば第２指示フィールドのビット数が２ビットであると、第２指示フィールドは、４つの状態を指示することができ、各状態が一つのＨＡＲＱ−ＡＣＫ情報のビット数に対応する。または、第２指示フィールドは、複数：１の方式で、４つの状態によって、４を超えたＨＡＲＱ−ＡＣＫ情報のビット数を指示してもよい。たとえば、２ビットの第２指示フィールドが「００」であると、１／５／９などのビット数を示すことができ、２ビットの第２指示フィールドが「０１」であると、２／６／１０などのビット数を示すことができ、２ビットの第２指示フィールドが「１０」であると、３／７／１１などのビット数を示すことができ、２ビットの第２指示フィールドが「１１」であると、４／８／１２などのビット数を示すことができる。同一状態に対応する異なるビット数は、実際のダウンリンク受信データパケット（ＰＤＳＣＨまたはダウンリンクＳＰＳリソース解放を指示するＰＤＣＣＨ）の数に基づいて、対応する値が決定されるが、ここでは具体的に限定しない。
【００９８】
具体的に、前記第１指示フィールドと前記第２指示フィールドとは、独立または統合的に符号化する。独立の符号化である場合、指示情報に第２指示フィールドが存在するか否かは、第１指示フィールドの指示内容によって決定される。たとえば、第１指示フィールドによって、目標ＰＵＳＣＨにＨＡＲＱ−ＡＣＫ情報が存在しないと指示すると、第２指示フィールドが存在しないと決定することができるが、第１指示フィールドによって、目標ＰＵＳＣＨにＨＡＲＱ−ＡＣＫ情報が存在すると指示すると、第２指示フィールドが存在すると決定することができる。統合的符号化である場合、第１指示フィールドと第２指示フィールドとは、常に同時に存在する。
【００９９】
または、前記指示情報のビット数は、Ｍ（１より大きい整数）ビットである。
ここで、前記Ｍビットの指示情報の一つの指示状態は、目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する。
【０１００】
たとえば、Ｍ＝２の場合、指示情報は、４種類の指示状態を含む。たとえば指示状態「００」は、目標ＰＵＳＣＨにＨＡＲＱ−ＡＣＫ情報が存在しないことを示し、すなわちＨＡＲＱ−ＡＣＫ情報のビット数が０であることを示す。指示状態「０１」は、１／４／７などのビット数を示し、指示状態「１０」は、２／５／８などのビット数を示し、指示状態「１１」は、３／６／９などのビット数を示す。同一の指示状態に対応する異なるビット数は、実際のダウンリンク受信データパケットの数から、対応する値が決定される。もちろん、Ｍは、３ビットであってもよい。すると、８種類の指示状態のうちの一つの指示状態は、目標ＰＵＳＣＨにＨＡＲＱ−ＡＣＫ情報が存在しないことを指示し、残りの７種類の指示状態は、７種類の異なるビット数または７種類の異なるビット数セットを指示する。
【０１０１】
本開示の上記実施例におけるステップ２１は、レートマッチング方式で前記目標ＰＵＳＣＨで前記指示情報を受信するステップを含むことが好ましい。
【０１０２】
前記のレートマッチング方式で前記目標ＰＵＳＣＨで前記指示情報を受信するステップは、
前記目標ＰＵＳＣＨで伝送するデータを、前記目標ＰＵＳＣＨで前記指示情報に占用されるリソースにマッピングしないと決定することを含むことが好ましい。
【０１０３】
本開示の上記実施例におけるステップ２１は、
前記目標ＰＵＳＣＨで前記指示情報に占用される第１伝送リソースを決定するステップと、
前記ＨＡＲＱ−ＡＣＫ指示情報を前記第１伝送リソースで受信するステップとを含むことが好ましい。
【０１０４】
さらに、前記の前記目標ＰＵＳＣＨで前記指示情報に占用される第１伝送リソースを決定するステップは、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定するステップと、
前記第１伝送リソースのリソース位置とリソースサイズに基づいて前記第１伝送リソースを決定するステップとを含む。
【０１０５】
第１伝送リソースのリソース位置は、予め取り決められてもよく、予め設定されてもよい。たとえば、第１伝送リソースのリソース位置は、ＰＵＳＣＨの一つ目のシンボルまたは前からＡ個のシンボルの所定周波数領域リソースにあり、または、ＰＵＳＣＨのＤＭＲＳの片側または両側のシンボルの所定周波数領域リソースにあり、または、ＰＵＳＣＨに占用される複数のシンボルの所定周波数領域リソースに離散的に分布する。ここで、前記所定周波数領域リソースは、ＰＵＳＣＨ周波数領域リソースの高周波または低周波側のＢ個のＲＥ（リソースエレメント）であり、または、ＰＵＳＣＨ周波数領域リソースに離散的に分布するＢ個のＲＥであり、または、高周波と低周波両側に均一に分布するＢ個のＲＥである。
【０１０６】
第１伝送リソースのリソースサイズは、予めの確定や設定であってもよく、端末が設定パラメータおよびＰＵＳＣＨの伝送パラメータに基づいて決定してもよい。たとえば、ハイレイヤシグナリングによって、指示情報を決定するためのリソースオフセットパラメータを予め設定し、当該リソースオフセットパラメータおよびＰＵＳＣＨの伝送パラメータ（変調符号化レベル、リソースサイズなど）に基づいて、指示情報のＰＵＳＣＨにおける第１伝送リソースのリソースサイズを決定する。
【０１０７】
さらに、本開示の上記実施例において、目標ＰＵＳＣＨで伝送する異なる情報の混同発生を避けるために、ステップ２１では、
前記指示情報および前記目標ＰＵＳＣＨで伝送するデータによる独立のチャネル符号化を決定するステップを含み、
および／または、前記指示情報によって、前記目標ＰＵＳＣＨにＨＡＲＱ−ＡＣＫ情報が存在すると指示する場合、前記指示情報および前記ＨＡＲＱ−ＡＣＫ情報による独立のチャネル符号化を決定するステップを含む。
【０１０８】
さらに、本開示の上記実施例におけるステップ２１は、
前記指示情報の変調方式を決定するステップをさらに含む。
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される。
【０１０９】
なお、指示情報の変調方式は、基地局側でも、端末側と同一の方式で決定することもできる。よって、基地局は、指示情報の変調方式に対応する復調方式で指示情報の復調を行い、指示情報を正しく受信することができる。
【０１１０】
本開示の上記実施例における前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つであることが好ましい。
【０１１１】
さらに、本開示の上記実施例において、ステップ２１の実行に先立ち、その受信方法では、さらに、所定条件のうちの少なくとも一つを満たすかを判断し、所定条件のうちの少なくとも一つを満たした場合、ステップ２１に進むが、逆の場合、ステップ２１と２２を実行しない。
ここで所定条件は、
条件１）前記目標ＰＵＳＣＨで伝送するＨＡＲＱ−ＡＣＫ情報のビット数が所定ビット数より大きくなることと、
条件２）前記目標ＰＵＳＣＨでレートマッチング方式でＨＡＲＱ−ＡＣＫ情報を伝送することと、
条件３）前記目標ＰＵＳＣＨを伝送する端末がＰＵＣＣＨとＰＵＳＣＨの同時伝送をサポートしないこととを含む。
【０１１２】
以上をまとめると、本発明の上記実施例において、端末は、少なくとも、目標ＰＵＳＣＨにＨＡＲＱ−ＡＣＫ情報が存在するか否かを指示するためのＨＡＲＱ−ＡＣＫの指示情報を、ＰＵＳＣＨで追加伝送することによって、基地局は、ＰＵＳＣＨで伝送する指示情報に基づき、ＰＵＳＣＨにＨＡＲＱ−ＡＣＫ情報が存在するかを決定することができる。よって、端末と基地局では、ＰＵＳＣＨでのデータ伝送に占用されるリソースに対する認識の一致を保証し、さらに、ＰＵＳＣＨで伝送するデータを基地局が正しく受信できることを保証し、伝送性能を向上させる。
【０１１３】
本開示の実施例におけるＰＵＳＣＨ伝送および受信方法をより明確に記載するために、以下、具体的な実施例を通じて本開示の実施例におけるＰＵＳＣＨ伝送および受信方法を説明する。
【０１１４】
２つのＰＤＳＣＨのＨＡＲＱ−ＡＣＫ情報が同一のアップリンク時刻（たとえば目標ＰＵＳＣＨ）でフィードバックするとし、当該アップリンク時刻は、各ＰＤＳＣＨに対応するＰＤＣＣＨの第１指示フィールドによって通知されてもよく、予め定義または設定されたフィードバックタイミングに基づいて決定されてもよいが、ここでは具体的に限定しない。たとえば、図３に示すように、スロットｎ、スロットｎ＋１、スロットｎ＋２、スロットｎ＋３およびスロットｎ＋４は、ダウンリンクスロットであり、スロットｎ＋５、スロットｎ＋６、スロットｎ＋７、スロットｎ＋８およびスロットｎ＋９は、アップリンクスロットである。基地局は、スロットｎとスロットｎ＋１で上記２つのＰＤＳＣＨを順次伝送し、かつスロットｎとスロットｎ＋１で伝送する２つのＰＤＳＣＨは、スロットｎ＋５でＨＡＲＱ−ＡＣＫ情報をフィードバックする。ここで、スロットｎ＋５は、グラントフリーのＰＵＳＣＨのスロットである。
【０１１５】
各ＰＤＳＣＨが４ビットのＨＡＲＱ−ＡＣＫ情報（たとえば、各ＰＤＳＣＨに１つのＴＢを含み、各ＴＢは、ＣＢＧに基づくＨＡＲＱ−ＡＣＫとして設定されかつ各ＴＢに４つのＣＢＧを含む）に対応するとすれば、当該アップリンク時刻には、計８ビットのＨＡＲＱ−ＡＣＫ情報が存在する。ＨＡＲＱ−ＡＣＫ情報のビット数は、ＰＤＳＣＨに対応するＰＤＣＣＨでの第２指示フィールドによって通知されてもよく、予めの取り決めや設定から決定された一定値であってもよい。
【０１１６】
当該アップリンク時刻がグラントフリーのＰＵＳＣＨに設定される時刻であり（すなわち目標ＰＵＳＣＨがグラントフリーのＰＵＳＣＨである）、かつ端末がＰＵＣＣＨとＰＵＳＣＨの同時伝送をサポートしないとすると、ＰＵＳＣＨの伝送と受信は、ケース１とケース２が存在する。
【０１１７】
具体的に、ケース１の端末側の動作は、以下である。
【０１１８】
端末は、上記２つのＰＤＳＣＨのうちの少なくとも一つのＰＤＳＣＨを受信すると、当該アップリンク時刻のグラントフリーのＰＵＳＣＨにＨＡＲＱ−ＡＣＫ情報が存在すると決定し、１ビットのＨＡＲＱ−ＡＣＫ指示情報を「０」にセットする（「０」は、ＰＵＳＣＨにＨＡＲＱ−ＡＣＫ情報が存在すると予め取り決めるとする。）。
【０１１９】
端末は、指示情報に対しチャネル符号化およびレートマッチングを行って目標符号化ビット数を得る。たとえば、プレースホルダを用いた符号化方式は、表１に示すように、異なる変調方式Ｑｍに対し、初期のプレースホルダ符号化を行い、初期のプレースホルダ符号化の後の符号化情報は、重複符号化を経て目標符号化ビット数を得るか、直接、ＲＭまたはｐｏｌａｒ符号化およびレートマッチングによって、目標符号化ビット数に符号化してもよい。ここで、目標符号化ビット数は、目標ＰＵＳＣＨで指示情報に占用されるリソースサイズおよび変調方式に基づいて決定される。たとえば、指示情報が１０個のＲＥ（Ｒｅｓｏｕｒｃｅ  Ｅｌｅｍｅｎｔ）を占用することを、ハイレイヤシグナリングによって設定し、または、ハイレイヤによって設定されたリソースパラメータおよびＰＵＳＣＨの伝送パラメータに基づいて決定し、ＢＰＳＫ変調方式（Ｑｍ＝１）を使用すると、目標符号化ビット数は、１０ビットである。また、たとえば、指示情報が１０個のＲＥを占用し、ＱＰＳＫ変調方式（Ｑｍ＝２）を使用すると、目標符号化ビット数は、２０ビットである。指示情報の符号化後の情報は、変調を経て当該指示情報の変調シンボルを得る。当該変調シンボルを目標ＰＵＳＣＨでの対応するリソース（当該対応するリソースは、具体的に、目標ＰＵＳＣＨで指示情報に占用される第１伝送リソースを指す。）にマッピングして伝送する。
【０１２０】
【表１】
2021506163.tif 000003
【０１２１】
端末は、各ＰＤＳＣＨの各ＣＢＧに対し１ビットのＨＡＲＱ−ＡＣＫ情報を生成し、計８ビットのＨＡＲＱ−ＡＣＫ情報を得る。端末は、一つのＰＤＳＣＨしか受信しなかった場合、ＨＡＲＱ−ＡＣＫのコードブック（ｃｏｄｅｂｏｏｋ）のタイプ（半静的または動的）から、フィードバック総ビット数が８ビットであると決定できる。ＨＡＲＱ−ＡＣＫ情報の目標ＰＵＳＣＨにおける伝送リソースサイズおよびＨＡＲＱ−ＡＣＫの変調方式に従って、８ビットのＨＡＲＱ−ＡＣＫ情報を、符号化（レートマッチング）および変調を行ってから当該目標ＰＵＳＣＨでの対応するリソース（当該対応するリソースは、具体的に目標ＰＵＳＣＨでＨＡＲＱ−ＡＣＫ情報に占用される第２伝送リソースを指す。）にマッピングして伝送する。
【０１２２】
端末は、当該目標ＰＵＳＣＨに占用されるリソースから、上記指示情報に占用される第１伝送リソースおよびＨＡＲＱ−ＡＣＫ情報に占用される第２伝送リソースを除いたリソースをデータ伝送リソースとし、伝送待ちデータを、符号化、レートマッチングおよび変調を経てから対応するデータ伝送リソースにマッピングして伝送する。
【０１２３】
対応的に、ケース１の基地局側の動作は、以下である。
【０１２４】
基地局は、上記の端末側と同一の方式で、目標ＰＵＳＣＨで指示情報に占用される第１伝送リソースを決定し、対応する第１伝送リソースで当該指示情報を受信し、復号してオリジナルの１ビットの指示情報を得、１ビットの指示情報が「０」であることに基づき、目標ＰＵＳＣＨにＨＡＲＱ−ＡＣＫ情報が存在すると決定する。
【０１２５】
さらに、基地局は、端末側と同一の方式で、目標ＰＵＳＣＨでＨＡＲＱ−ＡＣＫ情報に占用される第２伝送リソースを決定し、対応する第２伝送リソースでＨＡＲＱ−ＡＣＫ情報を受信し、復号してオリジナルの８ビットのＨＡＲＱ−ＡＣＫ情報を得、さらに当該ＨＡＲＱ−ＡＣＫ情報に基づき、ＰＤＳＣＨのＣＢＧをどのように再伝送するかを決定する。
【０１２６】
さらに、基地局は、端末側と同一の方式で、目標ＰＵＳＣＨに占用されるリソースから、上記指示情報に占用される第１伝送リソースおよびＨＡＲＱ−ＡＣＫ情報に占用される第２伝送リソースを除いたリソースをデータ伝送リソースとし、対応するデータ伝送リソースでデータを受信し、復号してＰＵＳＣＨで伝送するデータ情報、たとえばＴＢを得る。
【０１２７】
上記例を引き受け、ケース２の端末側の動作は、以下である。
【０１２８】
端末は、上記２つのＰＤＳＣＨを受信しなかった（すなわち上記２つのＰＤＳＣＨで紛失が生じた）場合、当該アップリンク時刻のグラントフリーのＰＵＳＣＨにＨＡＲＱ−ＡＣＫ情報が存在しないと決定し、１ビットのＨＡＲＱ−ＡＣＫ指示情報を「１」にセットする（「１」は、ＰＵＳＣＨにＨＡＲＱ−ＡＣＫ情報が存在しないと予め取り決めるとする。）。
【０１２９】
端末は、指示情報に対しチャネル符号化およびレートマッチングを行って目標符号化ビット数を得る。たとえば、プレースホルダを用いた符号化は、異なる変調方式Ｑｍに対し、初期のプレースホルダ符号化を行い、初期のプレースホルダ符号化の後の符号化情報は、重複符号化を経て目標符号化ビット数を得るか、直接、ＲＭまたはｐｏｌａｒ符号化およびレートマッチングによって、目標符号化ビット数に符号化してもよい。ここで、目標符号化ビット数は、目標ＰＵＳＣＨで指示情報に占用されるリソースサイズおよび変調方式に基づいて決定される。たとえば、指示情報が１０個のＲＥ（Ｒｅｓｏｕｒｃｅ  Ｅｌｅｍｅｎｔ）を占用することを、ハイレイヤシグナリングによって設定し、または、ハイレイヤによって設定されたリソースパラメータおよびＰＵＳＣＨの伝送パラメータに基づいて決定し、ＢＰＳＫ変調方式（Ｑｍ＝１）を使用すると、目標符号化ビット数は、１０ビットである。また、たとえば、指示情報が１０個のＲＥを占用し、ＱＰＳＫ変調方式（Ｑｍ＝２）を使用すると、目標符号化ビット数は、２０ビットである。指示情報の符号化後の情報は、変調を経て当該指示情報の変調シンボルを得る。当該変調シンボルを目標ＰＵＳＣＨでの対応するリソース（当該対応するリソースは、具体的に、目標ＰＵＳＣＨで指示情報に占用される第１伝送リソースを指す。）にマッピングして伝送する。端末が指示情報に対しチャネル符号化、レートマッチング、変調及びマッピング伝送を行う方式は、上記ケース１における端末側の動作とは同じである。
【０１３０】
端末は、当該目標ＰＵＳＣＨに占用されるリソースから、上記指示情報に占用される第１伝送リソースを除いたリソースをデータ伝送リソースとし、伝送待ちデータを、符号化、レートマッチングおよび変調を経てから対応するデータ伝送リソースにマッピングして伝送する。
【０１３１】
対応的に、ケース２の基地局側の動作は、以下である。
【０１３２】
基地局は、上記の端末側と同一の方式で、目標ＰＵＳＣＨで指示情報に占用される第１伝送リソースを決定し、対応する第１伝送リソースで当該指示情報を受信し、復号してオリジナルの１ビットの指示情報を得、１ビットの指示情報が「１」であることに基づき、目標ＰＵＳＣＨにＨＡＲＱ−ＡＣＫ情報が存在しないと決定する。さらに、基地局は、実際に端末に対しＰＤＳＣＨをスケジューリングした場合、端末ではスケジューリングされたＰＤＳＣＨの紛失が生じたと判断すると、対応するＰＤＳＣＨを再伝送する。
【０１３３】
さらに、基地局は、端末側と同一の方式で、目標ＰＵＳＣＨに占用されるリソースから、上記指示情報に占用される第１伝送リソースを除いたリソースをデータ伝送リソースとし、対応するデータ伝送リソースでデータを受信し、復号してＰＵＳＣＨで伝送するデータ情報、たとえばＴＢを得る。
【０１３４】
本開示の実施例の上記ケース２では、端末ではＰＤＳＣＨが紛失したものの、ＰＵＳＣＨに指示情報が存在するため、基地局は、当該指示情報から、ＰＵＳＣＨにＨＡＲＱ−ＡＣＫが存在するかを決定し、ＰＵＳＣＨでのデータ伝送に占用されるリソースを正しく判断し、データの正しい復号を実現する。
【０１３５】
なお、上記具体的な実施例では、グラントフリーのＰＵＳＣＨを例としたが、アップリンググラントのないＰＵＳＣＨ、ＤＡＩのないＰＵＳＣＨ、ＳＰＳのＰＵＳＣＨ、または、アップリンクグラントがあるものの前記アップリンクグラントにＤＡＩが含まれないＰＵＳＣＨに置き換えても、本開示の実施例における伝送方法および受信方法は、すべて適用する。もちろん、本開示は、それ以外の、たとえば、対応するアップリンクグラントを有しかつアップリンクグラントにＤＡＩが存在するＰＵＳＣＨなど、任意のＰＵＳＣＨにも適用可能であるが、ここでは枚挙しない。上記具体的な実施例は、ＨＡＲＱ−ＡＣＫフィードバックを必要とするダウンリンク伝送がＰＤＳＣＨであることを例としたが、ダウンリンクＳＰＳリソース解放を指示するＰＤＣＣＨに置き換えても、同様に適用する。
【０１３６】
さらに、上記具体的な実施例は、単に、ＣＢＧに基づいたＨＡＲＱ−ＡＣＫを用いたフィードバックを例としたが、ＣＢＧに基づいたＨＡＲＱ−ＡＣＫを用いないフィードバックの場合でも、複数のＰＤＳＣＨおよび／またはダウンリンクＳＰＳリソース解放を指示するＰＤＣＣＨのＨＡＲＱ−ＡＣＫが同一アップリンク時刻でフィードバックする際に同様に適用する。かつ上記実施例は、単にシングルキャリアを例としたが、もちろん複数の搬送波が集約した場合でも、複数の搬送波の一つまたは複数のダウンリンク伝送が同一のアップリンク伝送時刻でＨＡＲＱ−ＡＣＫフィードバックを行い際に同様に適用する。
【０１３７】
図４に示すように、本開示の実施例は、トランシーバ４２０と、メモリ４１０と、プロセッサ４００と、ユーザインタフェース４３０と、前記メモリ４１０に格納されて前記プロセッサ４００で実行可能なコンピュータプログラムを含む端末をさらに提供する。
前記プロセッサ４００は、
メモリからプログラムを読み取って、
少なくとも、目標ＰＵＳＣＨにＨＡＲＱ−ＡＣＫ情報が存在するか否かを指示するためのＨＡＲＱ−ＡＣＫ指示情報を決定するプロセスを実行することに用いられる。
前記トランシーバ４２０は、前記目標ＰＵＳＣＨで前記指示情報を伝送するプロセスを実行することに用いられる。
【０１３８】
本開示の上記実施例における前記トランシーバ４２０は、さらに、レートマッチング方式で前記目標ＰＵＳＣＨで前記指示情報を伝送することに用いられることが好ましい。
【０１３９】
本開示の上記実施例における前記プロセッサ４００は、さらに、前記目標ＰＵＳＣＨで伝送するデータを、前記目標ＰＵＳＣＨで前記指示情報に占用されるリソースにマッピングしないと決定することに用いられることが好ましい。
【０１４０】
本開示の上記実施例における前記プロセッサ４００は、さらに、
前記目標ＰＵＳＣＨで前記指示情報に占用される第１伝送リソースを決定することと、
前記指示情報を、順にチャネル符号化、レートマッチングおよび変調を経てから前記目標ＰＵＳＣＨの第１伝送リソースにマッピングして伝送することとに用いられることが好ましい。
【０１４１】
本開示の上記実施例における前記プロセッサ４００は、さらに、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとに用いられることが好ましい。
【０１４２】
本開示の上記実施例における前記プロセッサ４００は、さらに、前記指示情報および前記目標ＰＵＳＣＨで伝送するデータに対し独立のチャネル符号化を行うことに用いられることが好ましい。
【０１４３】
本開示の上記実施例における前記プロセッサ４００は、さらに、前記指示情報によって、前記目標ＰＵＳＣＨにＨＡＲＱ−ＡＣＫ情報が存在すると指示する場合、前記指示情報および前記ＨＡＲＱ−ＡＣＫ情報に対し独立のチャネル符号化を行うことに用いられることが好ましい。
【０１４４】
本開示の上記実施例における前記プロセッサ４００は、さらに、前記指示情報の変調方式を決定することに用いられることが好ましい。
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される。
【０１４５】
本開示の上記実施例において、前記指示情報のビット数は、１ビットであることが好ましい。
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する。
【０１４６】
本開示の上記実施例における前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含むことが好ましい。
ここで、前記第１指示フィールドと前記第２指示フィールドは、独立または統合的に符号化し、
【０１４７】
本開示の上記実施例における前記指示情報のビット数は、Ｍ（１より大きい整数）ビットであることが好ましい。
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する。
【０１４８】
本開示の上記実施例における前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つであることが好ましい。
【０１４９】
本開示の上記実施例において、前記プロセッサ４００は、さらに、
所定条件のうちの少なくとも一つを満たすかを判断し、所定条件のうちの少なくとも一つを満たした場合、前記指示情報を決定することに用いられることが好ましい。
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
および、前記目標ＰＵＳＣＨを伝送する端末がＰＵＣＣＨとＰＵＳＣＨの同時伝送をサポートしないこととを含む。
【０１５０】
以上をまとめると、本発明の上記実施例において、端末は、少なくとも、目標ＰＵＳＣＨにＨＡＲＱ−ＡＣＫ情報が存在するか否かを指示するためのＨＡＲＱ−ＡＣＫの指示情報を、ＰＵＳＣＨで追加伝送することによって、基地局は、ＰＵＳＣＨで伝送する指示情報に基づき、ＰＵＳＣＨにＨＡＲＱ−ＡＣＫ情報が存在するかを決定することができる。よって、端末と基地局では、ＰＵＳＣＨでのデータ伝送に占用されるリソースに対する認識の一致を保証し、さらに、ＰＵＳＣＨで伝送するデータを基地局が正しく受信できることを保証し、伝送性能を向上させる。
【０１５１】
なお、本開示の実施例における端末は、上記ＰＵＳＣＨ伝送方法を実行可能な端末であり、上記ＰＵＳＣＨ伝送方法のすべての実施例が当該端末に適用し、かつ同じまたは類似な効果を達成することができる。
【０１５２】
図５に示すように、本開示の実施例は、ＰＵＳＣＨ伝送装置をさらに提供する。
当該ＰＵＳＣＨ伝送装置は、
少なくとも、目標ＰＵＳＣＨにＨＡＲＱ−ＡＣＫ情報が存在するか否かを指示するためのＨＡＲＱ−ＡＣＫ指示情報を決定するための情報決定モジュール５１と、
前記目標ＰＵＳＣＨで前記指示情報を伝送するための情報伝送モジュール５２とを含む。
【０１５３】
本開示の上記実施例において、前記情報伝送モジュール５２は、レートマッチング方式で前記目標ＰＵＳＣＨで前記指示情報を伝送するための第１情報伝送サブモジュールを含むことが好ましい。
【０１５４】
本開示の上記実施例において、前記第１情報伝送サブモジュールは、
前記目標ＰＵＳＣＨで伝送するデータを、前記目標ＰＵＳＣＨで前記指示情報に占用されるリソースにマッピングしないと決定するための情報伝送ユニットを含むことが好ましい。
【０１５５】
本開示の上記実施例において、前記情報伝送モジュール５２は、
前記目標ＰＵＳＣＨで前記指示情報に占用される第１伝送リソースを決定するためのリソース決定サブモジュールと、
前記指示情報を、順にチャネル符号化、レートマッチングおよび変調を経てから前記目標ＰＵＳＣＨの第１伝送リソースにマッピングして伝送するための第２情報伝送サブモジュールとを含むことが好ましい。
【０１５６】
本開示の上記実施例において、リソース決定サブモジュールは、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定するための第１リソース決定ユニットと、
前記第１伝送リソースのリソース位置とリソースサイズに基づいて前記第１伝送リソースを決定するための第２リソース決定ユニットとを含むことが好ましい。
【０１５７】
本開示の上記実施例において、当該情報伝送モジュールは、さらに、
前記指示情報および前記目標ＰＵＳＣＨで伝送するデータに対し独立のチャネル符号化を行うための第１符号化モジュールを含むことが好ましい。
【０１５８】
本開示の上記実施例において、当該情報伝送モジュールは、さらに、
前記指示情報によって、前記目標ＰＵＳＣＨにＨＡＲＱ−ＡＣＫ情報が存在すると指示する場合、前記指示情報および前記ＨＡＲＱ−ＡＣＫ情報に対し独立のチャネル符号化を行うための第２符号化モジュールを含むことが好ましい。
【０１５９】
本開示の上記実施例において、当該情報伝送モジュールは、さらに、前記指示情報の変調方式を決定するための変調決定モジュールを含むことが好ましい。
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される。
【０１６０】
本開示の上記実施例において、前記指示情報のビット数は、１ビットであることが好ましい。
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する。
【０１６１】
本開示の上記実施例において、前記指示情報は、
前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含むことが好ましい。
前記第１指示フィールドと前記第２指示フィールドは、独立または統合的に符号化する。
【０１６２】
本開示の上記実施例において、前記指示情報のビット数は、Ｍ（１より大きい整数）ビットであることが好ましい。
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する。
【０１６３】
本開示の上記実施例において、前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つであることが好ましい。
【０１６４】
本開示の上記実施例において、前記伝送装置は、さらに、
所定条件のうちの少なくとも一つを満たすかを判断し、所定条件のうちの少なくとも一つを満たした場合、前記指示情報を決定するための第１判断モジュールを含むことが好ましい。
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む。
【０１６５】
以上をまとめると、本発明の上記実施例において、端末は、少なくとも、目標ＰＵＳＣＨにＨＡＲＱ−ＡＣＫ情報が存在するか否かを指示するためのＨＡＲＱ−ＡＣＫの指示情報を、ＰＵＳＣＨで追加伝送することによって、基地局は、ＰＵＳＣＨで伝送する指示情報に基づき、ＰＵＳＣＨにＨＡＲＱ−ＡＣＫ情報が存在するかを決定することができる。よって、端末と基地局では、ＰＵＳＣＨでのデータ伝送に占用されるリソースに対する認識の一致を保証し、さらに、ＰＵＳＣＨで伝送するデータを基地局が正しく受信できることを保証し、伝送性能を向上させる。
【０１６６】
なお、本開示の実施例におけるＰＵＳＣＨ伝送装置は、上記ＰＵＳＣＨ伝送方法を実行可能なＰＵＳＣＨ伝送装置であり、上記ＰＵＳＣＨ伝送方法のすべての実施例が当該ＰＵＳＣＨ伝送装置に適用し、かつ同じまたは類似な効果を達成することができる。
【０１６７】
本開示の実施例は、コンピュータプログラムが格納されているコンピュータ読み取り可能な記憶媒体をさらに提供する。前記コンピュータプログラムがプロセッサによって実行されると、以上記載したＰＵＳＣＨ伝送方法の実施例における各プロセスが実現され、かつ同一の技術効果を達成することができる。重複を避けるために、ここでは繰り返して記載しない。ここで、前記のコンピュータ読み取り可能な記憶媒体は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなどである。
【０１６８】
図６に示すように、本開示の実施例は、トランシーバ６２０と、メモリ６１０と、プロセッサ６００と、前記メモリ６１０に格納されて前記プロセッサ６００で実行可能なコンピュータプログラムを含む基地局をさらに提供する。
前記トランシーバ６２０は、目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信するプロセスを実行することに用いられる。
前記プロセッサ６００は、メモリからプログラムを読み取って、前記指示情報に基づいて、前記目標ＰＵＳＣＨにＨＡＲＱ−ＡＣＫ情報が存在するか否かを決定するプロセスを実行することに用いられる。
【０１６９】
本開示の上記実施例における前記トランシーバ６２０は、さらに、レートマッチング方式で前記目標ＰＵＳＣＨで前記指示情報を受信することに用いられることが好ましい。
【０１７０】
本開示の上記実施例における前記プロセッサ６００は、さらに、前記目標ＰＵＳＣＨで伝送するデータを、前記目標ＰＵＳＣＨで前記指示情報に占用されるリソースにマッピングしないと決定することに用いられることが好ましい。
【０１７１】
本開示の上記実施例における前記プロセッサ６００は、さらに、前記目標ＰＵＳＣＨで前記指示情報に占用される第１伝送リソースを決定することに用いられ、
前記トランシーバ６２０は、さらに、前記ＨＡＲＱ−ＡＣＫ指示情報を前記第１伝送リソースで受信することに用いられることが好ましい。
【０１７２】
本開示の上記実施例における前記プロセッサ６００は、さらに、予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとに用いられることが好ましい。
【０１７３】
本開示の上記実施例における前記プロセッサ６００は、さらに、前記指示情報および前記目標ＰＵＳＣＨで伝送するデータによる独立のチャネル符号化を決定することに用いられることが好ましい。
【０１７４】
本開示の上記実施例における前記プロセッサ６００は、さらに、前記指示情報によって、前記目標ＰＵＳＣＨにＨＡＲＱ−ＡＣＫ情報が存在すると指示する場合、前記指示情報および前記ＨＡＲＱ−ＡＣＫ情報による独立のチャネル符号化を決定することに用いられることが好ましい。
【０１７５】
本開示の上記実施例における前記プロセッサ６００は、さらに、前記指示情報の変調方式を決定することに用いられることが好ましい。
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される。
【０１７６】
本開示の上記実施例における前記指示情報のビット数は、１ビットであることが好ましい。
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する。
【０１７７】
本開示の上記実施例における前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含むことが好ましい。
前記第１指示フィールドと前記第２指示フィールドは、独立または統合的に符号化する。
【０１７８】
本開示の上記実施例における前記指示情報のビット数は、Ｍ（１より大きい整数）ビットであることが好ましい。
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する。
【０１７９】
一つの実施形態において、前記目標ＰＵＳＣＨは、対応するアップリンクグラントのないＰＵＳＣＨ、対応するＤＡＩのないＰＵＳＣＨのいずれか一つである。
【０１８０】
もう一つの実施形態において、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つである。
【０１８１】
本開示の上記実施例における前記プロセッサ６００は、さらに、
所定条件のうちの少なくとも一つを満たすかを判断し、所定条件のうちの少なくとも一つを満たした場合、目標ＰＵＳＣＨでＨＡＲＱ−ＡＣＫ指示情報を受信することに用いられることが好ましい。
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む。
【０１８２】
以上をまとめると、本発明の上記実施例において、端末は、少なくとも、目標ＰＵＳＣＨにＨＡＲＱ−ＡＣＫ情報が存在するか否かを指示するためのＨＡＲＱ−ＡＣＫの指示情報を、ＰＵＳＣＨで追加伝送することによって、基地局は、ＰＵＳＣＨで伝送する指示情報に基づき、ＰＵＳＣＨにＨＡＲＱ−ＡＣＫ情報が存在するかを決定することができる。よって、端末と基地局では、ＰＵＳＣＨでのデータ伝送に占用されるリソースに対する認識の一致を保証し、さらに、ＰＵＳＣＨで伝送するデータを基地局が正しく受信できることを保証し、伝送性能を向上させる。
【０１８３】
なお、本開示の実施例における基地局は、上記ＰＵＳＣＨ受信方法を実行可能な基地局であり、上記ＰＵＳＣＨ受信方法のすべての実施例が当該基地局に適用し、かつ同じまたは類似な効果を達成することができる。
【０１８４】
図７に示すように、本開示の実施例は、ＰＵＳＣＨ受信装置をさらに提供する。
当該ＰＵＳＣＨ受信装置は、
目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信するための情報受信モジュール７１と、
前記指示情報に基づいて、前記目標ＰＵＳＣＨにＨＡＲＱ−ＡＣＫ情報が存在するか否かを決定するための決定モジュール７２とを含む。
【０１８５】
本開示の上記実施例における情報受信モジュール７１は、レートマッチング方式で前記目標ＰＵＳＣＨで前記指示情報を受信するための第１情報受信サブモジュールを含むことが好ましい。
【０１８６】
本開示の上記実施例における前記第１情報受信サブモジュールは、
前記目標ＰＵＳＣＨで伝送するデータを、前記目標ＰＵＳＣＨで前記指示情報に占用されるリソースにマッピングしないと決定するための占用決定ユニットを含むことが好ましい。
【０１８７】
本開示の上記実施例において、情報受信モジュール７１は、
前記目標ＰＵＳＣＨで前記指示情報に占用される第１伝送リソースを決定するための第１伝送サブモジュールと、
前記ＨＡＲＱ−ＡＣＫ指示情報を前記第１伝送リソースで受信するための第２情報受信サブモジュールを含むことが好ましい。
【０１８８】
本開示の上記実施例における前記第１伝送サブモジュールは、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定するための伝送取得ユニットと、
前記第１伝送リソースのリソース位置とリソースサイズに基づいて前記第１伝送リソースを決定するための伝送決定ユニットとを含むことが好ましい。
【０１８９】
本開示の上記実施例において、前記決定モジュールは、前記指示情報および前記目標ＰＵＳＣＨで伝送するデータによる独立のチャネル符号化を決定するための第１符号化決定モジュールを含むことが好ましい。
【０１９０】
本開示の上記実施例において、前記決定モジュールは、
前記指示情報によって、前記目標ＰＵＳＣＨにＨＡＲＱ−ＡＣＫ情報が存在すると指示する場合、前記指示情報および前記ＨＡＲＱ−ＡＣＫ情報による独立のチャネル符号化を決定するための第２符号化決定モジュールを含むことが好ましい。
【０１９１】
本開示の上記実施例において、前記決定モジュールは、前記指示情報の変調方式を決定するための変調決定モジュールを含むことが好ましい。
ここで、前記指示情報の変調方式は、前記目標ＰＵＳＣＨの変調方式とは同じであり、または、予めの定義や設定に基づき、ＢＰＳＫに基づく変調方式またはＱＰＳＫに基づく変調方式または１６ＱＡＭに基づく変調方式であると決定される。
【０１９２】
本開示の上記実施例における前記指示情報のビット数は、１ビットであることが好ましい。
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示する。
【０１９３】
本開示の上記実施例における前記指示情報は、
前記目標ＰＵＳＣＨにＨＡＲＱ−ＡＣＫ情報が存在するかを指示するための第１指示フィールドと、
前記第１指示フィールドとは独立または統合的に符号化し、前記ＨＡＲＱ−ＡＣＫ情報のビット数を指示するための第２指示フィールドを含むことが好ましい。
【０１９４】
本開示の上記実施例における前記指示情報のビット数は、Ｍ（１より大きい整数）ビットであることが好ましい。
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示する。
【０１９５】
本開示の上記実施例における前記目標ＰＵＳＣＨは、対応するアップリンクグラントのないＰＵＳＣＨ、対応するＤＡＩのないＰＵＳＣＨのいずれか一つであり、
または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つであることが好ましい。
【０１９６】
本開示の上記実施例において、前記受信装置は、さらに、
所定条件のうちの少なくとも一つを満たすかを判断し、所定条件のうちの少なくとも一つを満たした場合、目標ＰＵＳＣＨでＨＡＲＱ−ＡＣＫ指示情報を受信するための第２判断モジュールを含むことが好ましい。
ここで、前記所定条件は、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないことを含む
【０１９７】
以上をまとめると、本発明の上記実施例において、端末は、少なくとも、目標ＰＵＳＣＨにＨＡＲＱ−ＡＣＫ情報が存在するか否かを指示するためのＨＡＲＱ−ＡＣＫの指示情報を、ＰＵＳＣＨで追加伝送することによって、基地局は、ＰＵＳＣＨで伝送する指示情報に基づき、ＰＵＳＣＨにＨＡＲＱ−ＡＣＫ情報が存在するかを決定することができる。よって、端末と基地局では、ＰＵＳＣＨでのデータ伝送に占用されるリソースに対する認識の一致を保証し、さらに、ＰＵＳＣＨで伝送するデータを基地局が正しく受信できることを保証し、伝送性能を向上させる。
【０１９８】
なお、本開示の実施例におけるＰＵＳＣＨ受信装置は、上記ＰＵＳＣＨ受信方法を実行可能なＰＵＳＣＨ受信装置であり、上記ＰＵＳＣＨ受信方法のすべての実施例が当該ＰＵＳＣＨ受信装置に適用し、かつ同じまたは類似な効果を達成することができる。
【０１９９】
本開示の実施例は、コンピュータプログラムが格納されているコンピュータ読み取り可能な記憶媒体をさらに提供する。前記コンピュータプログラムがプロセッサによって実行されると、以上記載したＰＵＳＣＨ受信方法の実施例の各プロセスが実現され、かつ同一の技術効果を達成することができ、重複を避けるために、ここでは繰り返して記載しない。ここで、前記のコンピュータ読み取り可能な記憶媒体は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなどである。
【０２００】
本願の実施例は、方法、システム、又はコンピュータプログラムプロダクトとして提供されうると当業者が理解できる。従って、本願は、完全にハードウェアの実施例、完全にソフトウェアの実施例、又はソフトウェアとハードウェアを組み合わせた実施例の形態を取り得る。しかも、本願は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【０２０１】
本願は、本願の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０２０２】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０２０３】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０２０４】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
2021506163.tif 000004
【図２】
2021506163.tif 000005
【図３】
2021506163.tif 000006
【図４】
2021506163.tif 000007
【図５】
2021506163.tif 000008
【図６】
2021506163.tif 000009
【図７】
2021506163.tif 000010
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
ＰＵＳＣＨ（Ｐｈｙｓｉｃａｌ  Ｕｐｌｉｎｋ  Ｓｈａｒｅｄ  Ｃｈａｎｎｅｌ）伝送方法において、
少なくとも、ＨＡＲＱ−ＡＣＫ（Ｈｙｂｒｉｄ  Ａｕｔｏｍａｔｉｃ  Ｒｅｐｅａｔ  ｒｅＱｕｅｓｔ  ＡＣＫｎｏｗｌｅｇｅｍｅｎｔ）情報が目標ＰＵＳＣＨに存在するか否かを指示するためのＨＡＲＱ−ＡＣＫ指示情報を決定することと、
前記目標ＰＵＳＣＨで前記指示情報を伝送することと、
を含む、ＰＵＳＣＨ伝送方法。
【請求項２】
前記目標ＰＵＳＣＨで前記指示情報を伝送することは、
レートマッチング方式で前記目標ＰＵＳＣＨで前記指示情報を伝送し、または、前記目標ＰＵＳＣＨで伝送するデータを、前記目標ＰＵＳＣＨで前記指示情報に占用されるリソースにマッピングしないと決定することと、
前記目標ＰＵＳＣＨで前記指示情報に占用される第１伝送リソースを決定し、前記指示情報を、順にチャネル符号化、レートマッチングおよび変調を経てから前記目標ＰＵＳＣＨの第１伝送リソースにマッピングして伝送することと、
前記指示情報および前記目標ＰＵＳＣＨで伝送するデータに対し独立のチャネル符号化を行うことと、
前記指示情報によって、前記目標ＰＵＳＣＨにＨＡＲＱ−ＡＣＫ情報が存在すると指示する場合、前記指示情報および前記ＨＡＲＱ−ＡＣＫ情報に対し独立のチャネル符号化を行うことと、
前記指示情報の変調方式を決定することと、
ここで、前記指示情報の変調方式は、前記目標ＰＵＳＣＨの変調方式と同じであり、または、予めの定義や設定に基づき、ＢＰＳＫに基づく変調方式またはＱＰＳＫに基づく変調方式または１６ＱＡＭに基づく変調方式であると決定され、
のうちの少なくとも１つを含む、請求項１に記載の伝送方法。
【請求項３】
前記目標ＰＵＳＣＨで前記指示情報に占用される第１伝送リソースを決定することは、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとを含む、請求項２に記載の伝送方法。
【請求項４】
前記指示情報のビット数は、以下の方式のうちの１つであり、
方式１：前記指示情報のビット数が１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示し、
方式２：前記指示情報のビット数がＭ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示し、
および／または、
前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み
ここで、前記第１指示フィールドと前記第２指示フィールドは、独立または統合的に符号化する、請求項１に記載の伝送方法。
【請求項５】
前記指示情報を決定することの前に、
所定条件のうちの少なくとも一つを満たすかを判断し、所定条件のうちの少なくとも一つを満たした場合、前記指示情報を決定することをさらに含み、
ここで、前記所定条件は、
前記目標ＰＵＳＣＨが、対応するアップリンクグラントのないＰＵＳＣＨ、対応するＤＡＩ（Ｄｏｗｎｌｉｎｋ  Ａｓｓｉｇｎｍｅｎｔ  Ｉｎｄｅｘ）のないＰＵＳＣＨのいずれか一つであり、または、前記目標ＰＵＳＣＨは、ＳＰＳ（Ｓｅｍｉ−Ｐｅｒｓｉｓｔｅｎｔ  Ｓｃｈｅｄｕｌｉｎｇ）のＰＵＳＣＨ、グラントフリー（ｇｒａｎｔ−ｆｒｅｅ）のＰＵＳＣＨ、対応するアップリンクグラントを有するもののアップリンクグラントにＤＡＩが含まれないＰＵＳＣＨのいずれか一つであることと、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨ（Ｐｈｙｓｉｃａｌ  Ｕｐｌｉｎｋ  Ｃｏｎｔｒｏｌ  Ｃｈａｎｎｅｌ）とＰＵＳＣＨの同時伝送をサポートしないこととを含む、請求項１〜４のいずれか一項に記載の伝送方法。
【請求項６】
ＰＵＳＣＨ受信方法において、
目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信することと、
前記指示情報に基づいて、前記目標ＰＵＳＣＨにＨＡＲＱ−ＡＣＫ情報が存在するか否かを決定することとを含む、ＰＵＳＣＨ受信方法。
【請求項７】
前記目標ＰＵＳＣＨでＨＡＲＱ−ＡＣＫ指示情報を受信することは、
レートマッチング方式で前記目標ＰＵＳＣＨで前記指示情報を受信し、または、前記目標ＰＵＳＣＨで伝送するデータを、前記目標ＰＵＳＣＨで前記指示情報に占用されるリソースにマッピングしないと決定することと、
前記目標ＰＵＳＣＨで前記指示情報に占用される第１伝送リソースを決定し、前記ＨＡＲＱ−ＡＣＫ指示情報を前記第１伝送リソースで受信することと、
前記指示情報および前記目標ＰＵＳＣＨで伝送するデータによる独立のチャネル符号化を決定することと、
前記指示情報によって、前記目標ＰＵＳＣＨにＨＡＲＱ−ＡＣＫ情報が存在すると指示する場合、前記指示情報および前記ＨＡＲＱ−ＡＣＫ情報による独立のチャネル符号化を決定することと、
前記指示情報の変調方式を決定することと、
ここで、前記指示情報の変調方式は、前記目標ＰＵＳＣＨの変調方式と同じであり、または、予めの定義や設定に基づき、ＢＰＳＫに基づく変調方式またはＱＰＳＫに基づく変調方式または１６ＱＡＭに基づく変調方式であると決定され、
のうちの少なくとも１つを含む、請求項６に記載の受信方法。
【請求項８】
前記目標ＰＵＳＣＨで前記指示情報に占用される第１伝送リソースを決定することは、
予めの確定や設定である前記目標ＰＵＳＣＨでの第１伝送リソースのリソース位置とリソースサイズを取得し、または、予めの確定や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとを含む、請求項７に記載の受信方法。
【請求項９】
前記指示情報のビット数は、以下の方式のうちの１つであり、
方式１：前記指示情報のビット数が１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示し、
方式２：前記指示情報のビット数がＭ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示し、
および／または、
前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
ここで、前記第１指示フィールドと前記第２指示フィールドは、独立または統合的に符号化する、請求項６に記載の受信方法。
【請求項１０】
前記目標ＰＵＳＣＨでＨＡＲＱ−ＡＣＫ指示情報を受信することの前に、
所定条件のうちの少なくとも一つを満たすかを判断し、所定条件のうちの少なくとも一つを満たした場合、目標ＰＵＳＣＨでＨＡＲＱ−ＡＣＫ指示情報を受信することをさらに含み、
ここで、前記所定条件は、
前記目標ＰＵＳＣＨが、対応するアップリンクグラントのないＰＵＳＣＨ、対応するＤＡＩのないＰＵＳＣＨのいずれか一つであり、または、前記目標ＰＵＳＣＨが、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つであることと、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む、請求項６〜９のいずれか一項に記載の受信方法。
【請求項１１】
少なくとも、目標ＰＵＳＣＨにＨＡＲＱ−ＡＣＫ情報が存在するか否かを指示するためのＨＡＲＱ−ＡＣＫ指示情報を決定するための情報決定モジュールと、
前記目標ＰＵＳＣＨで前記指示情報を伝送するための情報伝送モジュールと、
を含む、ＰＵＳＣＨ伝送装置。
【請求項１２】
さらに、
レートマッチング方式で前記目標ＰＵＳＣＨで前記指示情報を伝送し、または、前記目標ＰＵＳＣＨで伝送するデータを、前記目標ＰＵＳＣＨで前記指示情報に占用されるリソースにマッピングしないと決定することと、
前記目標ＰＵＳＣＨで前記指示情報に占用される第１伝送リソースを決定し、前記指示情報を、順にチャネル符号化、レートマッチングおよび変調を経てから前記目標ＰＵＳＣＨの第１伝送リソースにマッピングして伝送することと、
前記指示情報および前記目標ＰＵＳＣＨで伝送するデータに対し独立のチャネル符号化を行うことと、
前記指示情報によって、前記目標ＰＵＳＣＨにＨＡＲＱ−ＡＣＫ情報が存在すると指示する場合、前記指示情報および前記ＨＡＲＱ−ＡＣＫ情報に対し独立のチャネル符号化を行うことと、
前記指示情報の変調方式を決定することと、
ここで、前記指示情報の変調方式は、前記目標ＰＵＳＣＨの変調方式と同じであり、または、予めの定義や設定に基づき、ＢＰＳＫに基づく変調方式またはＱＰＳＫに基づく変調方式または１６ＱＡＭに基づく変調方式であると決定され、
のうちの少なくとも１つに用いられる、請求項１１に記載の伝送装置。
【請求項１３】
さらに、
予めの定義や設定である前記目標ＰＵＳＣＨでの第１伝送リソースのリソース位置とリソースサイズを取得し、または、予めの定義や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとに用いられる、請求項１２に記載の伝送装置。
【請求項１４】
前記指示情報のビット数は、以下の方式のうちの１つであり、
方式１：前記指示情報のビット数が１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示し、
方式２：前記指示情報のビット数がＭ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示し、
および／または、
前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
ここで、前記第１指示フィールドと前記第２指示フィールドは、独立または統合的に符号化する、請求項１１に記載の伝送装置。
【請求項１５】
さらに、
所定条件のうちの少なくとも一つを満たすかを判断し、所定条件のうちの少なくとも一つを満たした場合、前記指示情報を決定することに用いられ、
ここで、前記所定条件は、
前記目標ＰＵＳＣＨが、対応するアップリンクグラントのないＰＵＳＣＨ、対応するＤＡＩのないＰＵＳＣＨのいずれか一つであり、または、前記目標ＰＵＳＣＨは、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つであることと、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む、請求項１１〜１４のいずれか一項に記載の伝送装置。
【請求項１６】
目標ＰＵＳＣＨで、少なくとも前記目標ＰＵＳＣＨにＨＡＲＱ−ＡＣＫ情報が存在するか否かを指示するためのＨＡＲＱ−ＡＣＫ指示情報を受信するための情報受信モジュールと、
前記指示情報に基づいて、前記目標ＰＵＳＣＨにＨＡＲＱ−ＡＣＫ情報が存在するか否かを決定するための決定モジュールと、
を含む、ＰＵＳＣＨ受信装置。
【請求項１７】
さらに、
レートマッチング方式で前記目標ＰＵＳＣＨで前記指示情報を受信し、または、前記目標ＰＵＳＣＨで伝送するデータを、前記目標ＰＵＳＣＨで前記指示情報に占用されるリソースにマッピングしないと決定することと、
前記目標ＰＵＳＣＨで前記指示情報に占用される第１伝送リソースを決定し、前記ＨＡＲＱ−ＡＣＫ指示情報を前記第１伝送リソースで受信することと、
前記指示情報および前記目標ＰＵＳＣＨで伝送するデータによる独立のチャネル符号化を決定することと、
前記指示情報によって、前記目標ＰＵＳＣＨにＨＡＲＱ−ＡＣＫ情報が存在すると指示する場合、前記指示情報および前記ＨＡＲＱ−ＡＣＫ情報による独立のチャネル符号化を決定することと、
前記指示情報の変調方式を決定することと、
ここで、前記指示情報の変調方式は、前記目標ＰＵＳＣＨの変調方式と同じであり、または、予めの定義や設定に基づき、ＢＰＳＫに基づく変調方式またはＱＰＳＫに基づく変調方式または１６ＱＡＭに基づく変調方式であると決定され、
のうちの少なくとも１つに用いられる、請求項１６に記載の受信装置。
【請求項１８】
さらに、
予めの定義や設定である前記目標ＰＵＳＣＨでの第１伝送リソースのリソース位置とリソースサイズを取得し、または、予めの定義や設定である前記目標ＰＵＳＣＨでの第１伝送リソースのリソース位置を取得して、予め設定された設定パラメータおよび前記目標ＰＵＳＣＨの伝送パラメータに基づいて、前記目標ＰＵＳＣＨでの第１伝送リソースのリソースサイズを決定することと、
前記第１伝送リソースのリソース位置とリソースサイズに基づいて前記第１伝送リソースを決定することとに用いられる、請求項１７に記載の受信装置。
【請求項１９】
前記指示情報のビット数は、以下の方式のうちの１つであり、
方式１：前記指示情報のビット数が１ビットであり、
ここで、前記１ビットの指示情報の指示状態が「０」である場合、前記指示情報は、前記目標ＰＵＳＣＨにＨＡＲＱ−ＡＣＫ情報が存在することを指示し、前記１ビットの指示情報の指示状態が「１」である場合、前記指示情報は、前記目標ＰＵＳＣＨにＨＡＲＱ−ＡＣＫ情報が存在しないことを指示し、
または、前記１ビットの指示情報の指示状態が「１」である場合、前記指示情報は、前記目標ＰＵＳＣＨにＨＡＲＱ−ＡＣＫ情報が存在することを指示し、前記１ビットの指示情報の指示状態が「０」である場合、前記指示情報は、前記目標ＰＵＳＣＨにＨＡＲＱ−ＡＣＫ情報が存在しないことを指示し、
方式２：前記指示情報のビット数がＭ（１より大きい整数）ビットであり、
ここで、前記Ｍビットの指示情報の一つの指示状態は、前記目標ＰＵＳＣＨにＨＡＲＱ−ＡＣＫ情報が存在しないことを指示し、前記Ｍビットの指示情報の残りの指示状態は、前記ＨＡＲＱ−ＡＣＫ情報のビット数を指示し、
および／または、
前記指示情報は、前記目標ＰＵＳＣＨにＨＡＲＱ−ＡＣＫ情報が存在するかを指示するための第１指示フィールドと、前記ＨＡＲＱ−ＡＣＫ情報のビット数を指示するための第２指示フィールドを含み、
ここで、前記第１指示フィールドと前記第２指示フィールドは、独立または統合的に符号化する、請求項１６に記載の受信装置。
【請求項２０】
さらに、
所定条件のうちの少なくとも一つを満たすかを判断し、所定条件のうちの少なくとも一つを満たした場合、目標ＰＵＳＣＨでＨＡＲＱ−ＡＣＫ指示情報を受信することに用いられ、
ここで、前記所定条件は、
前記目標ＰＵＳＣＨが、対応するアップリンクグラントのないＰＵＳＣＨ、対応するＤＡＩのないＰＵＳＣＨのいずれか一つであり、または、前記目標ＰＵＳＣＨが、ＳＰＳのＰＵＳＣＨ、グラントフリーのＰＵＳＣＨ、対応するアップリンクグラントを有するもののアップリンクグラントにＤＡＩが含まれないＰＵＳＣＨのいずれか一つであることと、
前記目標ＰＵＳＣＨで伝送するＨＡＲＱ−ＡＣＫ情報のビット数が所定ビット数より大きくなることと、
前記目標ＰＵＳＣＨでレートマッチング方式でＨＡＲＱ−ＡＣＫ情報を伝送することと、
前記目標ＰＵＳＣＨを伝送する端末がＰＵＣＣＨとＰＵＳＣＨの同時伝送をサポートしないこととを含む、請求項１６〜１９のいずれか一項に記載の受信装置。
【国際調査報告】
2021506163.tif 000011
2021506163.tif 000012
2021506163.tif 000013
2021506163.tif 000014